(57)【特許請求の範囲】
【請求項１】
複数種類の演出図柄を変動させて行う図柄変動ゲームを表示する演出実行手段を備え、前記図柄変動ゲームにおいて予め定められた大当り表示結果が表示された後に特別入賞手段が開閉動作する大当り遊技が付与される遊技機において、
前記図柄変動ゲームが、予め決められたリーチ図柄を表示させて実行されるリーチ演出を経て大当りになるか否かを判定する大当り判定手段と、
前記大当り判定手段の判定結果が否定の場合、リーチ演出を経てはずれとなるか否かを判定するリーチ判定手段と、
前記大当り判定手段又は前記リーチ判定手段の判定結果が肯定の場合、図柄変動ゲーム中に一旦停止表示させるリーチ図柄を決定する図柄決定手段と、
前記図柄決定手段がリーチ図柄を決定した場合、前記図柄変動ゲーム中に、前記図柄決定手段により決定されたリーチ図柄を表示させる演出制御手段と、を備え、
前記図柄決定手段は、前記大当り判定手段の判定結果が肯定の場合、否定の場合と比較して予め決められた特別リーチ図柄を決定しやすく構成されており、
前記演出制御手段は、前記大当り判定手段又は前記リーチ判定手段の判定結果が肯定の場合、リーチ演出実行前、演出図柄を変動表示させた後に当該演出図柄の代わりに変化図柄を変動表示させ、複数の列に前記図柄決定手段が決定したリーチ図柄に対応する同一の変化図柄を一旦停止表示させてリーチを形成させた後、リーチ演出を実行させ、
前記変化図柄によるリーチを形成させた後、当該変化図柄に代えて前記図柄決定手段が決定したリーチ図柄を一旦停止表示させ、
前記演出図柄の代わりに変動表示される前記変化図柄の種類は、変動表示される前記演出図柄の種類よりも少ないことを特徴とする遊技機。
【請求項２】
前記演出制御手段は、前記図柄決定手段により前記特別リーチ図柄が決定されている場合、前記特別リーチ図柄に対応する複数種類の変化図柄の中から所定の決定率の下でリーチを形成する変化図柄を決定することを特徴とする請求項１に記載の遊技機。
【請求項３】
前記変化図柄には、第１の変化図柄と、前記第１の変化図柄よりも変動表示される変化図柄の種類が少ない第２の変化図柄と、が含まれ、
前記演出制御手段は、前記演出図柄の代わりに前記第１の変化図柄を変動表示させた後、更に前記第１の変化図柄の代わりに前記第２の変化図柄を変動表示させ、前記複数の列に前記図柄決定手段が決定したリーチ図柄に対応する同一の前記第２の変化図柄を一旦停止表示させてリーチを形成させる場合があることを特徴とする請求項１又は請求項２に記載の遊技機。
【請求項４】
前記演出制御手段は、前記大当り判定手段又は前記リーチ判定手段の判定結果が肯定の場合には前記第２の変化図柄を変動表示させる場合がある一方、前記リーチ判定手段の判定結果が否定の場合には前記第２の変化図柄を変動表示させないことを特徴とする請求項３に記載の遊技機。
【請求項５】
前記リーチ演出には、大当り期待度が異なる複数種類のリーチ演出があり、
前記演出制御手段は、大当り期待度の高い特別リーチ演出が行われる場合には、当該特別リーチ演出が行われない場合と比して、前記第２の変化図柄を変動表示させ易いことを特徴とする請求項３又は請求項４に記載の遊技機。
【請求項６】
前記リーチ演出には、大当り期待度の異なる複数種類のリーチ演出があり、
前記演出制御手段は、大当り期待度の高い特別リーチ演出が行われる場合、前記複数の列に異なる変化図柄を一旦停止表示させた後、前記特別リーチ演出を実行させる場合があることを特徴とする請求項１〜請求項５のうち何れか一項に記載の遊技機。
【発明の詳細な説明】
【技術分野】
【０００１】
本発明は、リーチ演出が実行される遊技機に関するものである。
【背景技術】
【０００２】
従来、遊技機の一種であるパチンコ機では、複数種類の図柄を変動（可変）させて複数列（例えば、３列）の図柄により図柄組み合わせゲームが行われている。そして、該図柄組み合わせゲームにおいて、特定列の図柄（２列）が同一図柄からなるリーチの図柄組み合わせが形成された場合にはリーチ演出が行われると共に、全列の図柄が同一図柄からなる大当りの図柄組み合わせが形成された場合には大当り状態が生起されるようになっている。
【０００３】
ところで、パチンコ機では、リーチの図柄組み合わせが形成される前には、リーチの図柄組み合わせが形成されるか否かに注目する一方、リーチの図柄組み合わせが形成された後は、どのような期待度のリーチ演出が実行されて大当りの図柄組み合わせが形成されるか否かに注目することとなる。しかしながら、このようなパチンコ機では、１列目に停止表示させる図柄の種類や、リーチの図柄組み合わせを構成する図柄の種類などに注目させることができず、複数種類の図柄を変動表示させる意味があまりなかった。
【０００４】
そこで、特許文献１に示すように、予め決められた確変図柄により構成されるリーチの図柄組み合わせが表示されたときにリーチ３が実行された場合には、確変図柄以外の図柄により構成されるリーチの図柄組み合わせが表示されたときにリーチ３が実行された場合と比較して大当り期待度が高くなるようにしたパチンコ機が考案された。これにより、どのような図柄が停止し、どのような種類の図柄でリーチの図柄組み合わせが形成されたかについて注目させることができるようになった。
【先行技術文献】
【特許文献】
【０００５】
【特許文献１】特開平１０−１２７８９１号公報
【発明の概要】
【発明が解決しようとする課題】
【０００６】
ところで、このようなパチンコ遊技機では、１列目に停止表示される図柄の種類が確変図柄でないと判断できた場合には、大当り期待度が低いかも知れないと遊技者に思わせてしまう虞もあった。
【０００７】
この発明は、このような従来の技術に存在する問題点に着目してなされたものであり、その目的は、停止表示される図柄の種類に注目させると共に、どのような種類のリーチ図柄が表示されるかについて判断し難くすることができる遊技機を提供することにある。
【課題を解決するための手段】
【０００８】
上記問題点を解決するために、請求項１に記載の発明は、複数種類の演出図柄を変動させて行う図柄変動ゲームを表示する演出実行手段を備え、前記図柄変動ゲームにおいて予め定められた大当り表示結果が表示された後に特別入賞手段が開閉動作する大当り遊技が付与される遊技機において、前記図柄変動ゲームが、予め決められたリーチ図柄を表示させて実行されるリーチ演出を経て大当りになるか否かを判定する大当り判定手段と、前記大当り判定手段の判定結果が否定の場合、リーチ演出を経てはずれとなるか否かを判定するリーチ判定手段と、前記大当り判定手段又は前記リーチ判定手段の判定結果が肯定の場合、図柄変動ゲーム中に一旦停止表示させるリーチ図柄を決定する図柄決定手段と、前記図柄決定手段がリーチ図柄を決定した場合、前記図柄変動ゲーム中に、前記図柄決定手段により決定されたリーチ図柄を表示させる演出制御手段と、を備え、前記図柄決定手段は、前記大当り判定手段の判定結果が肯定の場合、否定の場合と比較して予め決められた特別リーチ図柄を決定しやすく構成されており、前記演出制御手段は、前記大当り判定手段又は前記リーチ判定手段の判定結果が肯定の場合、リーチ演出実行前、演出図柄を変動表示させた後に当該演出図柄の代わりに変化図柄を変動表示させ、複数の列に前記図柄決定手段が決定したリーチ図柄に対応する同一の変化図柄を一旦停止表示させてリーチを形成させた後、リーチ演出を実行させ、前記変化図柄によるリーチを形成させた後、当該変化図柄から前記図柄決定手段が決定したリーチ図柄を一旦停止表示させ、前記演出図柄の代わりに変動表示される前記変化図柄の種類は、変動表示される前記演出図柄の種類よりも少ないことを要旨とする。
【０００９】
請求項２に記載の発明は、請求項１に記載の遊技機において、前記演出制御手段は、前記図柄決定手段により前記特別リーチ図柄が決定されている場合、前記特別リーチ図柄に対応する複数種類の変化図柄の中から所定の決定率の下でリーチを形成する変化図柄を決定することを要旨とする。
【００１０】
請求項３に記載の発明は、請求項１又は請求項２に記載の遊技機において、前記変化図柄には、第１の変化図柄と、前記第１の変化図柄よりも変動表示される変化図柄の種類が少ない第２の変化図柄と、が含まれ、前記演出制御手段は、前記演出図柄の代わりに前記第１の変化図柄を変動表示させた後、更に前記第１の変化図柄の代わりに前記第２の変化図柄を変動表示させ、前記複数の列に前記図柄決定手段が決定したリーチ図柄に対応する同一の前記第２の変化図柄を一旦停止表示させてリーチを形成させる場合があることを要旨とする。
【００１１】
請求項４に記載の発明は、請求項３に記載の遊技機において、前記演出制御手段は、前記大当り判定手段又は前記リーチ判定手段の判定結果が肯定の場合には前記第２の変化図柄を変動表示させる場合がある一方、前記リーチ判定手段の判定結果が否定の場合には前記第２の変化図柄を変動表示させないことを要旨とする。
【００１２】
請求項５に記載の発明は、請求項３又は請求項４に記載の遊技機において、前記リーチ演出には、大当り期待度が異なる複数種類のリーチ演出があり、前記演出制御手段は、大当り期待度の高い特別リーチ演出が行われる場合には、当該特別リーチ演出が行われない場合と比して、前記第２の変化図柄を変動表示させ易いことができることを要旨とする。
【００１３】
請求項６に記載の発明は、請求項１〜請求項５のうち何れか一項に記載の遊技機において、前記リーチ演出には、大当り期待度の異なる複数種類のリーチ演出があり、前記演出制御手段は、大当り期待度の高い特別リーチ演出が行われる場合、前記複数の列に異なる変化図柄を一旦停止表示させた後、前記特別リーチ演出を実行させる場合があることができることを要旨とする。
【発明の効果】
【００１５】
本発明によれば、停止表示される図柄の種類に注目させると共に、どのような種類のリーチ図柄が表示されるかについて判断し難くすることができる。
【図面の簡単な説明】
【００１６】
【図１】パチンコ遊技機の遊技盤を示す正面図。
【図２】パチンコ遊技機の電気的構成を示すブロック図。
【図３】変動パターンを示す説明図。
【図４】（ａ）及び（ｂ）は、飾り図柄決定テーブルを示す説明図。
【図５】（ａ）は数字図柄、（ｂ）は第１変化図柄、（ｃ）は第２変化図柄を示す説明図。
【図６】図柄変化予告演出決定処理を示すフローチャート。
【図７】演出態様決定テーブルを示す説明図。
【図８】第１変化図柄組み合わせ決定テーブルを示す説明図。
【図９】第２変化図柄組み合わせ決定テーブルを示す説明図。
【図１０】（ａ）〜（ｈ）は、図柄変化予告演出を実行する図柄変動ゲームの演出態様を示す説明図。
【図１１】第２実施形態における第１変化図柄組み合わせ決定テーブルを示す説明図。
【図１２】第２実施形態における第２変化図柄組み合わせ決定テーブルを示す説明図。
【図１３】（ａ）〜（ｈ）は、第２実施形態における図柄変化予告演出を実行する図柄変動ゲームの演出態様を示す説明図。
【図１４】第３実施形態においてスーパーリーチ演出を実行しないときに参照する第１変化図柄組み合わせ決定テーブルを示す説明図。
【図１５】第３実施形態においてスーパーリーチ演出を実行するときに参照する第１変化図柄組み合わせ決定テーブルを示す説明図。
【図１６】（ａ）〜（ｇ）は、第３実施形態における図柄変化予告演出を実行する図柄変動ゲームの演出態様を示す説明図。
【図１７】第４実施形態における大当り飾り図柄決定テーブルを示す説明図。
【発明を実施するための形態】
【００１７】
（第１実施形態）
以下、本発明をパチンコ遊技機に具体化した一実施形態を図１〜図１０にしたがって説明する。
【００１８】
図１に示すように、パチンコ遊技機の遊技盤１０のほぼ中央には、液晶ディスプレイ型の画像表示部ＧＨを有する演出実行手段としての演出表示装置１１が配設されている。演出表示装置１１では、複数列（本実施形態では、３列）の図柄を変動させて行う図柄変動ゲームと、該ゲームに関連して実行される各種の表示演出が実行される。本実施形態の図柄変動ゲームでは、複数列（本実施形態では、３列）の図柄からなる図柄組み合わせを導出する。なお、演出表示装置１１で実行される図柄変動ゲームでは、表示演出を多様化するための飾り図柄を用いて行われる。
【００１９】
なお、本実施形態において演出表示装置１１には、各列毎に［１］〜［７］の７種類の数字（数字図柄）が飾り図柄として表示されるようになっている。そして、本実施形態における演出表示装置１１に確定停止表示された全列の飾り図柄が同一の場合には、その図柄組み合わせ（［２２２］［７７７］など）から大当りを認識できる。一方、演出表示装置１１に確定停止表示された全列の飾り図柄が異なる場合、又は１列の飾り図柄が他の２列の飾り図柄と異なる場合には、その図柄組み合わせ（［１２３］［１２２］［７６７］など）からはずれを認識できる。以下、大当りを認識できる図柄組み合わせを「大当りの図柄組み合わせ」、はずれを認識できる図柄組み合わせを「はずれの図柄組み合わせ」と示す。
【００２０】
また、本実施形態において、演出表示装置１１における各列の飾り図柄は、図柄変動ゲームが開始すると、予め定めた変動方向（縦スクロール方向）に沿って変動表示されるようになっている。そして、図柄変動ゲームが開始すると（各列の飾り図柄が変動を開始すると）、演出表示装置１１において遊技者側から見て左列（左図柄）→右列（右図柄）→中列（中図柄）の順に、変動表示された飾り図柄が一旦停止表示されるようになっている。そして、一旦停止表示された左図柄と右図柄が同一の場合には、その図柄組み合わせ（［１↓１］など、「↓」は変動中を示す）からリーチ状態を認識できる。リーチ状態は、複数列のうち、特定列（本実施形態では、左列と右列）の飾り図柄が同一となって一旦停止表示され、かつ前記特定列以外の列（本実施形態では、中列）の飾り図柄が変動表示されている状態である。このリーチ状態を認識できる図柄組み合わせが飾り図柄によるリーチの図柄組み合わせとなる。
【００２１】
また、演出表示装置１１の左下には、７セグメント型の特別図柄表示装置１２が配設されている。特別図柄表示装置１２では、複数種類の特別図柄を変動させて表示する図柄変動ゲームが行われる。特別図柄は、大当りか否かの内部抽選（大当り抽選）の結果を示す報知用の図柄である。
【００２２】
そして、演出表示装置１１には、特別図柄表示装置１２の表示結果に応じた表示結果が表示される。具体的に言えば、特別図柄表示装置１２に大当りを認識し得る大当り図柄（大当り表示結果）が確定停止表示される場合には、演出表示装置１１にも大当り図柄（大当り表示結果）が確定停止表示される。また、特別図柄表示装置１２にはずれを認識し得るはずれ図柄（はずれ表示結果）が確定停止表示される場合には、演出表示装置１１にもはずれの図柄組み合わせ（はずれ表示結果）が確定停止表示される。なお、「変動表示」とは、図柄を表示する表示装置１１，１２に定める表示領域内において表示される図柄の種類が変化している状態である一方で、「一旦停止表示」とは、前記表示領域内において図柄がゆれ変動状態で表示されている状態である。また、「確定停止表示」とは、前記表示領域内において図柄が確定停止している状態である。そして、特別図柄表示装置１２における図柄変動ゲームと、演出表示装置１１における図柄変動ゲームは、その図柄変動ゲームに係る表示演出が同時に開始されるとともに、同時に終了する（すなわち、同時に特別図柄と飾り図柄が確定停止表示される）。
【００２３】
また、本実施形態のパチンコ遊技機には、発射装置としての発射ハンドルが装備されている（図示しない）。この発射ハンドルは、パチンコ遊技機において遊技者が操作可能な位置に配置されている。そして、遊技者が発射ハンドルを操作することにより、遊技球が遊技盤１０の遊技領域１３に発射されるようになっている。
【００２４】
また、演出表示装置１１の下方には、遊技球の入球口１５ａを有する始動入賞口１５が配設されている。そして、始動入賞口１５の奥方には入球した遊技球を検知する始動口スイッチＳＷ１（図２に示す）が配設されている。始動入賞口１５は、入球した遊技球を検知することにより、図柄変動ゲームの始動条件と予め定めた個数の賞球としての遊技球の払出条件を付与し得る。
【００２５】
また、始動入賞口１５の下方には、図示しないアクチュエータ（ソレノイド、モータなど）の作動により開閉動作を行う大入賞口扉１７を備えた特別入賞手段としての大入賞口１８が配設されている。大入賞口１８の奥方には、入球した遊技球を検知するカウントスイッチＳＷ２（図２に示す）が配設されている。大入賞口１８は、入球した遊技球を検知することにより、予め定めた個数（例えば、１４個）の賞球としての遊技球の払出条件を付与し得る。大入賞口１８は、大当り遊技中に大入賞口扉１７の開動作によって開放されることで遊技球の入球が許容される。このため、大当り遊技中、遊技者は、賞球を獲得できるチャンスを得ることができる。
【００２６】
次に、本実施形態のパチンコ遊技機に規定する大当り遊技について説明する。
大当り遊技は、図柄変動ゲームにて各表示装置１１，１２に大当り図柄が確定停止表示され、該ゲームの終了後、開始される。大当り遊技が開始すると、最初に大当り遊技の開始を示すオープニング演出が行われる。オープニング演出終了後には、大入賞口１８（の大入賞口扉１７）が開放されるラウンド遊技が予め定めた規定ラウンド数を上限として複数回行われる。１回のラウンド遊技では、大入賞口１８の大入賞口扉１７の開閉が所定回数行われる。また、１回のラウンド遊技中に大入賞口１８は、規定個数（本実施形態では、８個）の遊技球が入賞する、又は規定時間（本実施形態では、２５（秒））が経過するまでの間、開放される。また、ラウンド遊技では、ラウンド演出が行われる。そして、大当り遊技の終了を示すエンディング演出が行われ、大当り遊技は終了される。
【００２７】
また、本実施形態では、通常演出モードと、特別演出モードを実行可能に構成されている。また、本実施形態における通常演出モード及び特別演出モードは、それぞれ背景画像の種類が異なっており、それら背景画像の種類から実行中（滞在中）の演出モードが特定できるようになっている。また、実行中の演出モードが通常演出モードであるとき、移行抽選に当選した場合には、特別演出モードへ移行するようになっている。また、特別演出モード移行時には、抽選によって特別演出モードの滞在回数（滞在期間）が決定される。そして、特別演出モードの実行が開始してから、抽選によって決定された滞在回数の図柄変動ゲームの実行が終了したことを契機に、通常演出モードへ移行するようになっている。
【００２８】
次に、パチンコ遊技機の制御構成を図２にしたがって説明する。
機裏側には、パチンコ遊技機全体を制御する主制御基板３０が装着されている。主制御基板３０は、パチンコ遊技機全体を制御するための各種処理を実行するとともに、該処理結果に応じた各種の制御指令（制御コマンド）を出力する。また、機裏側には、演出制御基板３１が装着されている。演出制御基板３１は、主制御基板３０が出力した制御信号（制御コマンド）に基づき、演出表示装置１１の表示態様（図柄、背景、文字などの表示画像など）や各種の演出装置を制御する。
【００２９】
以下、主制御基板３０及び演出制御基板３１の具体的構成を説明する。
主制御基板３０には、制御動作を所定の手順で実行する主制御用ＣＰＵ３０ａと、主制御用ＣＰＵ３０ａの制御プログラムを格納する主制御用ＲＯＭ３０ｂと、必要なデータの書き込み及び読み出しができる主制御用ＲＡＭ３０ｃが設けられている。そして、主制御用ＣＰＵ３０ａには、各種スイッチＳＷ１，ＳＷ２が遊技球を検知して出力する検知信号を入力可能に接続されている。また、主制御用ＣＰＵ３０ａには、特別図柄表示装置１２が接続されている。
【００３０】
また、主制御用ＣＰＵ３０ａは、大当り判定用乱数、リーチ判定用乱数及び変動パターン振分用乱数などの各種乱数の値を所定の周期毎に更新する乱数更新処理（乱数生成処理）を実行する。大当り判定用乱数は、大当り抽選（大当り判定）で用いる乱数である。リーチ判定用乱数は、大当り抽選で非当選の場合に、図柄変動ゲームにてリーチ演出を実行するか否かを決定するためのリーチ抽選（リーチ判定）で用いる乱数である。変動パターン振分用乱数は、変動パターンを選択する際に用いる乱数である。また、主制御用ＲＡＭ３０ｃには、パチンコ遊技機の動作中に適宜書き換えられる各種情報（乱数値、タイマ値、フラグなど）が記憶（設定）される。
【００３１】
主制御用ＲＯＭ３０ｂには、メイン制御プログラムや、各種の判定値（大当り判定値など）が記憶されている。例えば、主制御用ＲＯＭ３０ｂには、大当り判定値が記憶されている。大当り判定値は、大当りか否かの内部抽選で用いる判定値であり、大当り判定用乱数の取り得る数値の中から定められている。また、主制御用ＲＯＭ３０ｂには、リーチ判定値が記憶されている。リーチ判定値は、リーチ抽選で用いる判定値であり、リーチ判定用乱数の取り得る数値の中から定められている。
【００３２】
また、主制御用ＲＯＭ３０ｂには、複数種類の変動パターンが記憶されている。変動パターンは、図柄変動ゲームが開始してから図柄変動ゲームが終了するまでの間の演出（表示演出、発光演出、音声演出）のベースとなるパターンであって、図柄変動ゲームの演出内容及び演出時間（変動時間）を特定し得る。また、変動パターンには、大当りのときに決定される大当り演出用の変動パターンと、はずれのときに決定されるはずれ演出用の変動パターンがある。また、はずれ演出用の変動パターンには、リーチ演出を演出内容に含むはずれリーチ演出用の変動パターンと、リーチ演出を演出内容に含まないはずれ通常演出用の変動パターンがある。本実施形態では、図３に示すように、はずれ通常演出用の変動パターンとして変動パターンＨＰ１、はずれリーチ演出用の変動パターンとして変動パターンＨＰ２，ＨＰ３、大当り演出用の変動パターンとして変動パターンＨＰ４，ＨＰ５が主制御用ＲＯＭ３０ｂに記憶されている。
【００３３】
また、リーチ演出は、演出表示装置１１の飾り図柄による図柄変動ゲームにおいて、リーチの図柄組み合わせが形成されてから、最終的に図柄組み合わせ（大当り又ははずれの図柄組み合わせ）が導出されるまでの間に行われる演出である。なお、変動パターンＨＰ１に基づいて行われる図柄変動ゲームでは、リーチ演出を経ることなく最終的にはずれの図柄組み合わせが確定停止表示させるように展開される。また、変動パターンＨＰ２，ＨＰ３に基づいて行われる図柄変動ゲームでは、リーチ演出を経て、最終的にはずれの図柄組み合わせが確定停止表示させるように展開される。また、変動パターンＨＰ４，ＨＰ５に基づいて行われる図柄変動ゲームでは、リーチ演出を経て、最終的に大当りの図柄組み合わせが確定停止表示させるように展開される。
【００３４】
また、リーチ演出が実行される変動パターンＨＰ２〜ＨＰ５では、実行されるリーチ演出が異なる。具体的には、変動パターンＨＰ２，ＨＰ４に基づいて行われる図柄変動ゲームではノーマルリーチ演出が実行され、変動パターンＨＰ３，ＨＰ５に基づいて行われる図柄変動ゲームではスーパーリーチ演出が実行される。ノーマルリーチ演出とスーパーリーチ演出は、リーチ演出の種類を示している。ノーマルリーチ演出とは、演出表示装置１１において、リーチの図柄組み合わせが一旦停止表示された後、残り１列（本実施形態では、中列）が変動されて、飾り図柄が導出される演出内容のリーチ演出である。また、スーパーリーチ演出とは、リーチ演出の演出内容が２段階で構成されたものであり、ノーマルリーチ演出が実行されて、全列の飾り図柄が一旦停止表示された後又は中列の飾り図柄の変動表示中、例えば、キャラクタが登場し、登場キャラクタの名称で呼ばれる「○○リーチ」へ移行（発展）して飾り図柄が導出される演出内容のリーチ演出である。スーパーリーチ演出は、ノーマルリーチ演出が１段階目となり、ノーマルリーチ演出から発展する内容となっている。
【００３５】
次に、図２に示す演出制御基板３１について説明する。
演出制御基板３１には、制御動作を所定の手順で実行する演出制御用ＣＰＵ３１ａと、演出制御用ＣＰＵ３１ａの制御プログラムを格納する演出制御用ＲＯＭ３１ｂと、必要なデータの書き込み及び読み出しができる演出制御用ＲＡＭ３１ｃが設けられている。演出制御用ＣＰＵ３１ａは、各種乱数の値を所定の周期毎に更新する乱数更新処理（乱数生成処理）を実行する。また、演出制御用ＣＰＵ３１ａには、演出表示装置１１が接続されている。また、演出制御用ＲＯＭ３１ｂには、各種の画像表示用データ（図柄、背景、文字、キャラクタなどの画像データ）が記憶されている。また、演出制御用ＲＡＭ３１ｃには、パチンコ遊技機の動作中に適宜書き換えられる各種情報（乱数値、タイマ値、フラグなど）が記憶（設定）される。
【００３６】
以下、主制御基板３０及び演出制御基板３１が実行する制御内容を説明する。
まず、主制御基板３０の主制御用ＣＰＵ３０ａが、メイン制御プログラムに基づき実行する特別図柄入力処理や特別図柄開始処理などの各種処理について説明する。本実施形態において主制御用ＣＰＵ３０ａは、所定の制御周期（例えば、４ｍｓ）毎に特別図柄入力処理や特別図柄開始処理などの各種処理を実行する。
【００３７】
最初に、特別図柄入力処理について説明する。
主制御用ＣＰＵ３０ａは、始動口スイッチＳＷ１から検知信号を入力しているか否かに基づき、始動入賞口１５に遊技球が入球したか否かを判定する。この判定結果が否定の場合、主制御用ＣＰＵ３０ａは、特別図柄入力処理を終了する。その一方で、前記判定結果が肯定の場合、主制御用ＣＰＵ３０ａは、各種乱数の値（本実施形態では、大当り判定用乱数及び変動パターン振分用乱数の値）を主制御用ＲＡＭ３０ｃから読み出して取得し、該値を主制御用ＲＡＭ３０ｃの所定の記憶領域に設定する。その後、主制御用ＣＰＵ３０ａは、特別図柄入力処理を終了する。
【００３８】
次に、特別図柄開始処理について説明する。
主制御用ＣＰＵ３０ａは、図柄変動ゲームの実行中、又は大当り遊技中か否かの実行条件判定を実行する。この実行条件判定の判定結果が肯定の場合、つまり、図柄変動ゲームの実行中又は大当り遊技中である場合、主制御用ＣＰＵ３０ａは、特別図柄開始処理を終了する。
【００３９】
一方、実行条件判定の判定結果が否定（図柄変動ゲーム中ではなく、且つ大当り遊技中ではない）の場合、主制御用ＣＰＵ３０ａは、主制御用ＲＡＭ３０ｃの所定の記憶領域に記憶されている大当り判定用乱数の値を読み出す。続いて、主制御用ＣＰＵ３０ａは、読み出した大当り判定用乱数の値が、主制御用ＲＯＭ３０ｂに記憶されている大当り判定値と一致するか否かの大当り判定をする。この大当り判定の判定結果が肯定の場合、つまり、大当りの場合、主制御用ＣＰＵ３０ａは、大当りとなる図柄変動ゲームを実行させるための大当り変動処理を実行する。大当り変動処理において主制御用ＣＰＵ３０ａは、特別図柄表示装置１２に確定停止表示させる特別図柄として大当り図柄を決定する。大当り変動処理において主制御用ＣＰＵ３０ａは、主制御用ＲＡＭ３０ｃの所定の記憶領域に記憶されている変動パターン振分用乱数の値を読み出し、当該変動パターン振分用乱数の値に基づいて、複数種類の中から大当り演出用の変動パターンを選択し、決定する。このとき、本実施形態では、主制御用ＣＰＵ３０ａは、変動パターンＨＰ４，ＨＰ５の何れかの変動パターンを選択する。なお、本実施形態における主制御用ＣＰＵ３０ａは、大当りのとき、ノーマルリーチ演出のみを演出内容に含む変動パターンＨＰ４よりも、スーパーリーチ演出を演出内容に含む変動パターンＨＰ５を決定し易くなっている。そして、主制御用ＣＰＵ３０ａは、大当り変動処理において変動パターンを決定すると、特別図柄開始処理を終了する。
【００４０】
一方、上記大当り判定の判定結果が否定の場合、主制御用ＣＰＵ３０ａは、大当り判定用乱数の値が大当りとなる値ではないことからはずれを認識する。そして、主制御用ＣＰＵ３０ａは、リーチ判定用乱数の値を読み出し、当該リーチ判定用乱数の値と、主制御用ＲＯＭ３０ｂに記憶されているリーチ判定値が一致するか否かのリーチ判定を行う。このリーチ判定の判定結果が肯定の場合、主制御用ＣＰＵ３０ａは、リーチ抽選に当選したことから、リーチ演出が行われてはずれとなる図柄変動ゲームを実行させるためのリーチ変動処理を実行する。リーチ変動処理において主制御用ＣＰＵ３０ａは、特別図柄表示装置１２に確定停止表示させる特別図柄としてはずれ図柄を決定する。また、はずれ図柄を決定した主制御用ＣＰＵ３０ａは、主制御用ＲＡＭ３０ｃの所定の記憶領域に記憶されている変動パターン振分用乱数の値を読み出し、当該変動パターン振分用乱数の値に基づいて、複数種類の中からはずれリーチ演出用の変動パターンを選択し、決定する。このとき、本実施形態では、主制御用ＣＰＵ３０ａは、変動パターンＨＰ２，ＨＰ３のうち何れかの変動パターンを決定する。
【００４１】
なお、本実施形態における主制御用ＣＰＵ３０ａは、はずれのとき、スーパーリーチ演出を演出内容に含む変動パターンＨＰ３よりも、ノーマルリーチ演出のみを演出内容に含む変動パターンＨＰ２を決定し易くなっている。すなわち、本実施形態では、ノーマルリーチ演出のみが実行される場合よりも、スーパーリーチ演出が実行された方が、大当りへの期待感が高まるようになっている。そして、主制御用ＣＰＵ３０ａは、リーチ変動処理において変動パターンを決定すると、特別図柄開始処理を終了する。
【００４２】
一方、リーチ判定の判定結果が否定の場合、主制御用ＣＰＵ３０ａは、リーチ演出が行われないではずれとなる図柄変動ゲームを実行させるためのはずれ変動処理を実行する。はずれ変動処理において主制御用ＣＰＵ３０ａは、特別図柄表示装置１２に確定停止表示させる特別図柄としてはずれ図柄を決定する。また、はずれ図柄を決定した主制御用ＣＰＵ３０ａは、主制御用ＲＡＭ３０ｃの所定の記憶領域に記憶されている変動パターン振分用乱数の値を読み出し、当該変動パターン振分用乱数の値に基づいて、複数種類の中からはずれ通常演出用の変動パターンを選択し、決定する。このとき、本実施形態では、主制御用ＣＰＵ３０ａは、変動パターンＨＰ１を決定する。そして、主制御用ＣＰＵ３０ａは、はずれ変動処理において変動パターンを決定すると、特別図柄開始処理を終了する。
【００４３】
また、特別図柄開始処理において特別図柄及び変動パターンを決定した主制御用ＣＰＵ３０ａは、決定した内容にしたがって生成した制御コマンドを所定のタイミングで演出制御基板３１（演出制御用ＣＰＵ３１ａ）に出力する。具体的に言えば、主制御用ＣＰＵ３０ａは、変動パターンを指示するとともに図柄変動ゲームの開始を指示する変動パターン指定コマンドを図柄変動ゲームの開始に際して最初に出力するとともに、特別図柄を変動表示させるように特別図柄表示装置１２の表示内容を制御する。同時に、主制御用ＣＰＵ３０ａは、特別図柄を指定する特別図柄指定コマンドを出力する。そして、主制御用ＣＰＵ３０ａは、指示した変動パターンに定められている変動時間の経過時に図柄変動ゲームの終了（飾り図柄の確定停止表示）を指示する全図柄停止コマンドを前記変動時間の経過に伴って出力するとともに、決定した特別図柄を確定停止表示させるように特別図柄表示装置１２の表示内容を制御する。なお、本実施形態では、主制御用ＣＰＵ３０ａが、大当り判定手段、リーチ判定手段及び演出内容決定手段として機能する。
【００４４】
次に、演出制御基板３１の演出制御用ＣＰＵ３１ａが制御プログラムに基づき実行する各種の処理について説明する。
演出制御基板３１の演出制御用ＣＰＵ３１ａは、変動パターン指定コマンド及び特別図柄指定コマンドを入力すると、当該コマンドの指示内容に応じて演出表示装置１１に確定停止表示させる飾り図柄（数字図柄）を決定する。
【００４５】
具体的には、演出制御用ＣＰＵ３１ａは、はずれ図柄が指定されるとともに、はずれ通常演出用の変動パターンＨＰ１が指定された場合、左列及び右列に異なる種類の数字図柄を確定停止表示させることを決定する。その後、演出制御用ＣＰＵ３１ａは、中列に確定停止表示させる数字図柄の種類を決定し、確定停止表示させるはずれの図柄組み合わせ（例えば、［２３４］［５５６］など）を決定する。
【００４６】
演出制御用ＣＰＵ３１ａは、はずれ図柄が指定されるとともに、はずれリーチ演出用の変動パターンＨＰ２，ＨＰ３が指定された場合、左列及び右列に同じ種類の数字図柄を確定停止表示させることを決定する。具体的には、演出制御用ＣＰＵ３１ａは、はずれ図柄が指定されるとともに、はずれリーチ演出用の変動パターンＨＰ２，ＨＰ３が指定された場合、図４（ａ）に示す飾り図柄決定テーブルＫＴ１を参照して、確定停止表示させる左列及び右列の数字図柄の種類を決定する。飾り図柄決定テーブルＫＴ１では、数字図柄の種類（［１］〜［７］）毎に、リーチの図柄組み合わせを構成する左列及び右列の数字図柄として選択される選択率がそれぞれ定められている。飾り図柄決定テーブルＫＴ１において、数字図柄［１］〜［６］毎に定められた選択率は、数字図柄［７］に定められた選択率よりも高く定められている。すなわち、はずれのときには、リーチの図柄組み合わせを構成する数字図柄として、数字図柄［１］〜［６］が数字図柄［７］よりも高確率で決定されるようになっている。そして、演出制御用ＣＰＵ３１ａは、左列及び右列に確定停止表示させる数字図柄の種類を決定すると、中列に確定停止表示させる数字図柄の種類として、左列及び右列に確定停止表示させる数字図柄と異なる種類の数字図柄を決定し、確定停止表示させるはずれの図柄組み合わせ（例えば、［３２３］［４５４］など）を決定する。
【００４７】
演出制御用ＣＰＵ３１ａは、大当り図柄が指定された場合、左列及び右列に同じ種類の数字図柄を確定停止表示させることを決定する。具体的には、演出制御用ＣＰＵ３１ａは、大当り図柄が指定された場合、図４（ｂ）に示す飾り図柄決定テーブルＫＴ２を参照して、確定停止表示させる左列及び右列の数字図柄の種類を決定する。飾り図柄決定テーブルＫＴ２では、数字図柄の種類（［１］〜［７］）毎に、リーチの図柄組み合わせを構成する数字図柄として選択される選択率がそれぞれ定められている。飾り図柄決定テーブルＫＴ２において、数字図柄［７］に定められた選択率は、数字図柄［１］〜［６］毎に定められた選択率よりも高く定められている。すなわち、大当りのときには、リーチの図柄組み合わせを構成する数字図柄として、数字図柄［７］が数字図柄［１］〜［６］よりも高確率で決定されるようになっている。そして、演出制御用ＣＰＵ３１ａは、左列及び右列に確定停止表示させる数字図柄の種類を決定すると、中列に確定停止表示させる数字図柄の種類として、左列及び右列に確定停止表示させる数字図柄と同じ種類の数字図柄を決定し、確定停止表示させる大当りの図柄組み合わせ（例えば、［３３３］［４４４］など）を決定する。
【００４８】
このように、本実施形態では、数字図柄［７］によってリーチの図柄組み合わせが形成された場合には、数字図柄［１］〜［６］によってリーチの図柄組み合わせが形成された場合と比較して、大当りへの期待感が高まるようになっている。なお、本実施形態では、数字図柄［７］が特別リーチ図柄となる。
【００４９】
また、演出制御用ＣＰＵ３１ａは、確定停止表示させる図柄組み合わせのうちのリーチの図柄組み合わせを構成する数字図柄の種類を決定した場合、当該数字図柄を特定可能なリーチ図柄情報を、図柄変動ゲームが終了するまでの間、演出制御用ＲＡＭ３１ｃに記憶する。なお、本実施形態では、演出制御用ＣＰＵ３１ａが図柄決定手段として機能する。
【００５０】
また、演出制御用ＣＰＵ３１ａは、変動パターン指定コマンドを入力すると、各列の飾り図柄（数字図柄）を変動表示させて図柄変動ゲームを開始するように、演出表示装置１１の表示内容を制御する。そして、演出制御用ＣＰＵ３１ａは、全図柄停止コマンドを入力すると、決定した数字図柄の図柄組み合わせを演出表示装置１１に確定停止表示させる。
【００５１】
次に、演出制御用ＣＰＵ３１ａが行う、演出モードの設定に係る制御について説明する。
図柄変動ゲーム開始時、実行中の演出モードが通常演出モードである場合（通常演出モードが設定されている場合）、演出制御用ＣＰＵ３１ａは、移行抽選を行う。この移行抽選に非当選の場合、演出制御用ＣＰＵ３１ａは、通常演出モードを引き続き実行するように演出表示装置１１の表示内容を制御する。一方、移行抽選に当選した場合、演出制御用ＣＰＵ３１ａは、特別演出モードを設定し、特別演出モードを実行するように演出表示装置１１の表示内容を制御する。なお、本実施形態において、移行抽選の当選確率は、３／２００（１．５％）に定められている。
【００５２】
また、移行抽選に当選した場合、演出制御用ＣＰＵ３１ａは、特別演出モードの滞在回数を決定する。具体的には、演出制御用ＣＰＵ３１ａは、３０％の確率で「１５回」、４０％の確率で「２０回」、３０％の確率で「２５回」を滞在回数として決定する。また、滞在回数を決定した演出制御用ＣＰＵ３１ａは、当該滞在回数を演出制御用ＲＡＭ３１ｃに記憶する。
【００５３】
また、図柄変動ゲーム開始時、実行中の演出モードが特別演出モードである場合、演出制御用ＣＰＵ３１ａは、演出制御用ＲＡＭ３１ｃに記憶された滞在回数から１減算する。そして、演出制御用ＣＰＵ３１ａは、減算後の滞在回数が「０（零）」である場合、通常演出モードを設定し、通常演出モードを実行するように演出表示装置１１の表示内容を制御する。一方、減算後の滞在回数が「０」でない（「１」以上）場合、演出制御用ＣＰＵ３１ａは、特別演出モードを引き続き実行するように演出表示装置１１の表示内容を制御する。
【００５４】
また、本実施形態のパチンコ遊技機は、特別演出モード滞在中、図柄変動ゲームの開始から、当該図柄変動ゲームにおいて右列に飾り図柄が一旦停止表示されるまで、図柄変化予告演出を実行可能に構成されている。図柄変化予告演出とは、全列に変動表示される複数の飾り図柄（数字図柄［１］〜［７］）に代えて、当該飾り図柄とは異なる飾り図柄（変化図柄）を、全列に変動表示させる演出である。数字図柄と異なる飾り図柄（変化図柄）とは、図柄の形状が異なる場合や、図柄の色彩が異なる場合、図柄の大きさが異なる場合、又は数（種類）が異なる場合を示す。本実施形態では、図柄変化予告演出を実行すると、図５（ａ）に示す数字図柄と代えて、数字図柄とは表示態様が異なる図５（ｂ）に示す第１変化図柄が全列に変動表示される。なお、本実施形態では、第１変化図柄の種類として、白丸図柄［○］、黒丸図柄［●］及びダイヤ図柄［◇］がある。また、本実施形態では、図柄変化予告演出を実行すると、図５（ａ）に示す数字図柄に代えて、数字図柄とは表示態様が異なる図５（ｃ）に示す第２変化図柄が全列に変動表示される。なお、本実施形態では、第２変化図柄の種類として、ハート図柄［ハ］及び星図柄［☆］がある。
【００５５】
なお、本実施形態では、図柄変化予告演出を実行するときには、全列に第１変化図柄と第２変化図柄の何れか一方の変化図柄が変動表示されるようになっている。すなわち、本実施形態では、第１変化図柄を全列にて変動表示させて図柄変化予告演出を実行しているとき、各列には、３種類の第１変化図柄が変動表示され、他の飾り図柄（数字図柄及び第２変化図柄）は変動表示されない。また、本実施形態では、第２変化図柄を全列にて変動表示させて図柄変化予告演出を実行しているとき、各列には、２種類の第２変化図柄が変動表示され、他の飾り図柄（数字図柄及び第１変化図柄）は変動表示されない。また、図５に示すように、第１変化図柄及び第２変化図柄の種類は、数字図柄の種類よりも少なく定められている。また、図５（ｂ）及び図５（ｃ）に示すように、第２変化図柄の種類は、第１変化図柄の種類よりも少なく定められている。このように、本実施形態では、数字図柄、第１変化図柄及び第２変化図柄の３種類の飾り図柄がある。
【００５６】
以下、図柄変化予告演出の実行に係る制御について説明する。
特別演出モードが設定されているとき、演出制御用ＣＰＵ３１ａは、変動パターン指定コマンドを入力すると、図柄変化予告演出を実行するか否かを決定するための実行抽選を行う。演出制御用ＣＰＵ３１ａは、実行抽選に当選した場合には図柄変化予告演出を実行することを決定する一方で、実行抽選に非当選の場合には図柄変化予告演出を実行しないことを決定する。なお、本実施形態における実行抽選の当選確率は、指定された変動パターン毎に異なっている。本実施形態において演出制御用ＣＰＵ３１ａは、はずれ通常演出用の変動パターンが指定された場合には、２０％の当選確率で実行抽選を行う一方で、大当り演出用又ははずれリーチ演出用の変動パターンが指定された場合には、５０％の当選確率で実行抽選を行う。
【００５７】
また、実行抽選に当選した場合、演出制御用ＣＰＵ３１ａは、図６に示す図柄変化予告演出決定処理を行う。以下、図柄変化予告演出決定処理について、図６に基づき説明する。
【００５８】
実行抽選に当選した場合、演出制御用ＣＰＵ３１ａは、指定された変動パターンの種類に基づいて、数字図柄に代えて、全列に変動表示させる飾り図柄の種類を、第１変化図柄と第２変化図柄の中から決定する（ステップＳ１１）。具体的には、演出制御用ＣＰＵ３１ａは、図７に示す演出態様決定テーブルＥＴを参照して、指定された変動パターンに基づき、全列に変動表示させる飾り図柄の種類を決定する。演出態様決定テーブルＥＴでは、変動パターン毎に、全列に変動表示させる飾り図柄として第１変化図柄が選択される選択率と、全列に変動表示させる飾り図柄として第２変化図柄が選択される選択率と、が定められている。
【００５９】
演出態様決定テーブルＥＴでは、大当り演出用の変動パターンが指定されたとき（大当りのとき）には、はずれ演出用の変動パターンが指定されたとき（はずれのとき）と比較して、第２変化図柄が決定されやすいように、選択率が定められている。また、演出態様決定テーブルＥＴでは、スーパーリーチ演出を演出内容に含むはずれリーチ演出用の変動パターンＨＰ３が指定された場合、ノーマルリーチ演出を演出内容に含むはずれリーチ演出用の変動パターンＨＰ２が指定された場合と比較して、第２変化図柄が決定されやすいように、選択率が定められている。同様に、演出態様決定テーブルＥＴでは、スーパーリーチ演出を演出内容に含む大当り演出用の変動パターンＨＰ５が指定された場合、ノーマルリーチ演出を演出内容に含む大当り演出用の変動パターンＨＰ４が指定された場合と比較して、第２変化図柄が決定されやすいように、選択率が定められている。
【００６０】
すなわち、本実施形態では、図柄変動ゲームの大当り期待度が高いとき（スーパーリーチ演出が実行されるとき）には、図柄変動ゲームの大当り期待度が低いとき（スーパーリーチ演出が実行されないとき）と比較して、図柄変化予告演出の実行時、全列に第２変化図柄を変動表示されやすくなっている。換言すると、第２変化図柄が全列に変動表示された場合には、第１変化図柄が全列に変動表示された場合と比較して、大当りへの期待感が高まるようになっている。なお、本実施形態における演出態様決定テーブルＥＴでは、はずれ通常演出用の変動パターンＨＰ１が指定された場合には、第２変化図柄が決定されないように、選択率が定められている。
【００６１】
そして、ステップＳ１１において演出制御用ＣＰＵ３１ａは、指定された変動パターンの種類に基づき、演出態様決定テーブルＥＴに定められた選択率で、全列に変動表示させる変化図柄の種類（第１変化図柄若しくは第２変化図柄）を決定する。
【００６２】
図６に示す図柄変化予告演出決定処理のステップＳ１１にて、全列に変動表示させる飾り図柄の種類を決定した演出制御用ＣＰＵ３１ａは、当該決定した飾り図柄の種類が第１変化図柄であるか否かを判定する（ステップＳ１２）。ステップＳ１２の判定結果が肯定の場合、演出制御用ＣＰＵ３１ａは、複数種類の第１変化図柄の中から各列に一旦停止表示させる第１変化図柄の種類を決定する（ステップＳ１３）。なお、本実施形態では、前述の通り、左列と右列に飾り図柄が一旦停止表示された後、中列に飾り図柄が一旦停止表示される前に、変動表示された変化図柄（第１変化図柄又は第２変化図柄）に代えて、数字図柄が表示（一旦停止表示又は変動表示）される。そのため、ステップＳ１３において、演出制御用ＣＰＵ３１ａは、中列に一旦停止表示させる第１変化図柄の種類は決定しない。
【００６３】
ステップＳ１３において演出制御用ＣＰＵ３１ａは、はずれ通常演出用の変動パターンが指定された場合には、左列に一旦停止表示させる第１変化図柄の種類と、右列に一旦停止表示させる第１変化図柄の種類が異なるように、左列及び右列に一旦停止表示させる第１変化図柄の種類が定められた非リーチの第１変化図柄組み合わせを決定する。このとき、本実施形態において演出制御用ＣＰＵ３１ａは、［○↓●］［○↓◇］［●↓○］［●↓◇］［◇↓○］［◇↓●］の中から、非リーチの第１変化図柄組み合わせを決定する。
【００６４】
一方、演出制御用ＣＰＵ３１ａは、はずれリーチ演出又は大当り演出用の変動パターンが指定された場合には、左列に一旦停止表示させる第１変化図柄の種類と、右列に一旦停止表示させる第１変化図柄の種類が同一となるように、左列及び右列に一旦停止表示させる第１変化図柄の種類が定められたリーチの第１変化図柄組み合わせを決定する。このとき、演出制御用ＣＰＵ３１ａは、図８に示す第１変化図柄組み合わせ決定テーブルＲＴ１を参照して、リーチの第１変化図柄組み合わせを決定する。なお、リーチの第１変化図柄組み合わせには、白丸図柄を左右列に一旦停止表示させるリーチの第１変化図柄組み合わせ（［○↓○］）と、黒丸図柄を左右列に一旦停止表示させるリーチの第１変化図柄組み合わせ（［●↓●］）、ダイヤ図柄を左右列に一旦停止表示させるリーチの第１変化図柄組み合わせ（［◇↓◇］）がある。そして、第１変化図柄組み合わせ決定テーブルＲＴ１では、リーチ図柄情報から特定可能な数字図柄の種類毎に、各リーチの第１変化図柄組み合わせが選択される選択率が定められている。図８に示すように、第１変化図柄組み合わせ決定テーブルＲＴ１では、リーチ図柄情報から特定可能な数字図柄が［１］〜［６］である場合、白丸図柄を左右列に一旦停止表示させるリーチの第１変化図柄組み合わせ、又は黒丸図柄を左右列に一旦停止表示させるリーチの第１変化図柄組み合わせが決定されるように、選択率が定められている。一方、第１変化図柄組み合わせ決定テーブルＲＴ１では、リーチ図柄情報から特定可能な数字図柄が［７］である場合、ダイヤ図柄を左右列に一旦停止表示させるリーチの第１変化図柄組み合わせが決定されるように、選択率が定められている。そして、ステップＳ１３において、左列及び右列に一旦停止表示させる第１変化図柄の種類を決定した演出制御用ＣＰＵ３１ａは、図柄変化予告演出決定処理を終了する。
【００６５】
一方、図６に示す図柄変化予告演出決定処理におけるステップＳ１２の判定結果が否定の場合、つまり、全列に変動表示させる飾り図柄として第２変化図柄を決定した場合、演出制御用ＣＰＵ３１ａは、第２変化図柄の中から各列に一旦停止表示させる第２変化図柄の種類を決定する（ステップＳ１４）。なお、ステップＳ１４において、演出制御用ＣＰＵ３１ａは、ステップＳ１３と同様に、中列に一旦停止表示させる第２変化図柄の種類は決定しない。
【００６６】
ステップＳ１４において、演出制御用ＣＰＵ３１ａは、左列に一旦停止表示させる第２変化図柄の種類と、右列に一旦停止表示させる第２変化図柄の種類が同一となるように、左列及び右列に一旦停止表示させる第２変化図柄の種類が定められたリーチの第２変化図柄組み合わせを決定する。このとき、演出制御用ＣＰＵ３１ａは、図９に示す第２変化図柄組み合わせ決定テーブルＲＴ２を参照して、リーチの第２変化図柄組み合わせを決定する。なお、リーチの第２変化図柄組み合わせには、ハート図柄を左右列に一旦停止表示させるリーチの第２変化図柄組み合わせ（［ハ↓ハ］）と、星図柄を左右列に一旦停止表示させるリーチの第２変化図柄組み合わせ（［☆↓☆］）がある。そして、第２変化図柄組み合わせ決定テーブルＲＴ２では、リーチ図柄情報から特定可能な数字図柄の種類毎に、各リーチの第２変化図柄組み合わせが選択される選択率が定められている。図９に示すように、第２変化図柄組み合わせ決定テーブルＲＴ２では、リーチ図柄情報から特定可能な数字図柄が［１］〜［６］である場合、ハート図柄を左右列に一旦停止表示させるリーチの第２変化図柄組み合わせが決定されるように、選択率が定められている。一方、第２変化図柄組み合わせ決定テーブルＲＴ２では、リーチ図柄情報から特定可能な数字図柄が［７］である場合、星図柄を左右列に一旦停止表示させるリーチの第２変化図柄組み合わせが決定されるように、選択率が定められている。そして、ステップＳ１４において、左列及び右列に一旦停止表示させる第２変化図柄の種類を決定した演出制御用ＣＰＵ３１ａは、図柄変化予告演出決定処理を終了する。
【００６７】
図柄変化予告演出決定処理にて、全列に変動表示させる変化図柄（第１変化図柄又は第２変化図柄）と、左列及び右列に一旦停止表示させる変化図柄の種類（第１変化図柄の種類又は第２変化図柄の種類）を決定した演出制御用ＣＰＵ３１ａは、図柄変化予告演出を実行するように、演出表示装置１１の表示内容を制御する。以下、詳しく説明する。
【００６８】
まず、図柄変化予告演出決定処理にて全列に第１変化図柄を変動表示させることを決定した演出制御用ＣＰＵ３１ａが行う、図柄変化予告演出の実行に係る制御について説明する。
【００６９】
全列にて第１変化図柄を変動表示させて図柄変化予告演出を実行することを決定した場合、変動パターン指定コマンドを入力すると、演出制御用ＣＰＵ３１ａは、全列の数字図柄を変動表示させるように演出表示装置１１の表示内容を制御する。図柄変動ゲームを開始してから１秒後、演出制御用ＣＰＵ３１ａは、全列に変動表示させている数字図柄に代えて、第１変化図柄を全列に変動表示させるように演出表示装置１１の表示内容を制御する。
【００７０】
そして、演出制御用ＣＰＵ３１ａは、左列に一旦停止表示させると決定した種類の第１変化図柄を一旦停止表示させるように演出表示装置１１の表示内容を制御した後、右列に一旦停止表示させると決定した種類の第１変化図柄を一旦停止表示させるように演出表示装置１１の表示内容を制御する。右列に第１変化図柄を一旦停止表示させてから所定時間後（本実施形態では、２秒後）、演出制御用ＣＰＵ３１ａは、左列及び右列に一旦停止表示された第１変化図柄に代えて、確定停止表示させる図柄組み合わせから特定可能な左列及び右列の数字図柄を一旦停止表示させるように演出表示装置１１の表示内容を制御する。それとともに、演出制御用ＣＰＵ３１ａは、中列で変動表示させている第１変化図柄に代えて、中列に数字図柄を変動表示させるように演出表示装置１１の表示内容を制御する。
【００７１】
次に、図柄変化予告演出決定処理にて全列に第２変化図柄を変動表示させることを決定した演出制御用ＣＰＵ３１ａが行う、図柄変化予告演出の実行に係る制御について説明する。
【００７２】
全列にて第２変化図柄を変動表示させて図柄変化予告演出を実行することを決定した場合、変動パターン指定コマンドを入力すると、演出制御用ＣＰＵ３１ａは、全列の数字図柄を変動表示させるように演出表示装置１１の表示内容を制御する。図柄変動ゲームを開始してから１秒後、演出制御用ＣＰＵ３１ａは、全列に変動表示させている数字図柄に代えて、第１変化図柄を全列に変動表示させるように演出表示装置１１の表示内容を制御する。また、全列に第１変化図柄を変動表示させてから１秒後、演出制御用ＣＰＵ３１ａは、全列に変動表示されている第１変化図柄に代えて、第２変化図柄を全列に変動表示させるように演出表示装置１１の表示内容を制御する。
【００７３】
そして、演出制御用ＣＰＵ３１ａは、左列に一旦停止表示させると決定した種類の第２変化図柄を一旦停止表示させるように演出表示装置１１の表示内容を制御した後、右列に一旦停止表示させると決定した種類の第２変化図柄を一旦停止表示させるように演出表示装置１１の表示内容を制御する。右列に第２変化図柄を一旦停止表示させてから所定時間後（本実施形態では、２秒後）、演出制御用ＣＰＵ３１ａは、左列及び右列に一旦停止表示された第２変化図柄に代えて、確定停止表示させる図柄組み合わせから特定可能な左列及び右列の数字図柄を一旦停止表示させるように演出表示装置１１の表示内容を制御する。それとともに、演出制御用ＣＰＵ３１ａは、中列で変動表示させている第２変化図柄に代えて、中列に数字図柄を変動表示させるように演出表示装置１１の表示内容を制御する。
【００７４】
なお、本実施形態では、演出制御用ＣＰＵ３１ａが演出制御手段として機能する。また、本実施形態において第１変化図柄及び第２変化図柄が演出段階となる。また、本実施形態では、種類が多い演出段階が第１変化図柄となり、種類が少ない演出段階は第２変化図柄となる。
【００７５】
ここで、本実施形態における図柄変化予告演出を実行する図柄変動ゲームの演出態様について、図１０に基づき説明する。
なお、図１０に示す図柄変動ゲームは、変動パターンＨＰ５に基づいて実行される図柄変動ゲームであるものとする。また、図１０に示す図柄変動ゲームでは、数字図柄に代えて第２変化図柄を変動表示させることが決定されたものとする。また、図１０の図柄変動ゲーム開始時には、確定停止表示させる大当りの図柄組み合わせとして、数字図柄［７］によって構成されるリーチの図柄組み合わせを含む大当りの図柄組み合わせ［７７７］が決定されたものとする。
【００７６】
図１０（ａ）に示すように、各列に数字図柄が変動表示（図１０では、白抜きの矢印で示す）されることによって、図柄変動ゲームが開始される。次に、１秒後、図１０（ｂ）に示すように、各列に変動表示されている数字図柄に代わって、第１変化図柄が変動表示（図１０では、縦縞模様の矢印で示す）される。その更に１秒後、図１０（ｃ）に示すように、各列に第２変化図柄が変動表示（図１０では、横縞模様の矢印で示す）される。図１０（ａ）〜（ｃ）では、各列に変動表示される飾り図柄の種類が徐々に少なくなることから、左列と右列に一旦停止表示される飾り図柄が同じとなる確率、すなわち、リーチの図柄組み合わせが一旦停止表示される確率が高くなっていくかのように見せることができる。
【００７７】
その後、各列に第２変化図柄が変動表示された後、図１０（ｄ）に示すように、左列に前提より決められた星図柄が一旦停止表示される。左列に飾り図柄が一旦停止表示された後には、図１０（ｅ）に示すように、右列に星図柄が一旦停止表示される。左列及び右列に星図柄が一旦停止表示されると、２秒後、図１０（ｆ）に示すように、左列及び右列に一旦停止表示された星図柄に代えて、数字図柄［７］が左列及び右列に一旦停止表示される。そして、中列に数字図柄を変動表示させる。その後、図１０（ｇ）に示すように変動パターンＨＰ５に基づくスーパーリーチ演出が実行される。図１０（ｈ）に示すように、最終的に、確定停止表示させると決定した数字図柄による図柄組み合わせ［７７７］が確定停止表示される。
【００７８】
上記実施形態によれば、以下のような効果を得ることができる。
（１）図柄変化予告演出を実行した場合、図柄変化予告演出を実行しない場合に各列に変動表示される数字図柄とは異なる表示態様の第１変化図柄（又は第２変化図柄）が全列に変動表示される。そのため、第１変化図柄（又は第２変化図柄）のうち、同じ種類の変化図柄が左列と右列に一旦停止表示された場合、何れの種類の数字図柄によってリーチの図柄組み合わせが形成されたかについて認識し難くなる。このため、数字図柄［１］〜［６］に対応する種類の変化図柄が左列に一旦停止表示されたとしても、一旦停止表示された変化図柄が数字図柄［１］〜［６］に対応する種類の変化図柄であることを認識するまで、興趣の低下を防ぐことができるとともに、一旦停止表示された飾り図柄に注目させることができる。
【００７９】
（２）図柄変化予告演出を実行した場合、図柄変化予告演出を実行しない場合に各列に変動表示される数字図柄の種類（７種類）よりも変動表示される飾り図柄の種類が少ない第１変化図柄（３種類）（又は第２変化図柄（２種類））が全列に変動表示される。このように、図柄変化予告演出を実行した場合、各列に変動表示される飾り図柄の種類が少なくなることで、左列と右列に一旦停止表示される飾り図柄が同一となる確率が高くなったかのように見せることができる。そのため、図柄変化予告演出が実行された場合には、リーチの図柄組み合わせが一旦停止表示されることを期待させることができる。
【００８０】
（３）大当り演出用又ははずれリーチ演出用の変動パターンが指定された場合には、はずれ通常演出用の変動パターンが指定された場合に決定されない第２変化図柄を各列に変動表示させて図柄変化予告演出を実行し得るようにした。すなわち、図柄変化予告演出の実行時、各列に第２変化図柄が変動表示された際には、少なくともリーチ演出が実行されることを認識させることができる。つまり、全列に第２変化図柄が変動表示された場合には、左列に一旦停止表示された種類の第２変化図柄によってリーチの図柄組み合わせが形成されることを認識させることができる。そのため、全列に第２変化図柄が変動表示された際には、第１変化図柄が全列に変動表示された場合よりも、左列に一旦停止表示させる変化図柄の種類に注目させることができる。すなわち、大当り期待度の高い数字図柄［７］に対応する星図柄が左列に一旦停止表示されるか否かについて、注目させることができる。
【００８１】
（４）大当り期待度の高いスーパーリーチ演出を演出内容に含む図柄変動ゲームを実行するときには、スーパーリーチ演出を演出内容に含まない図柄変動ゲームを実行するときと比較して、図柄変化予告演出実行時に全列に第２変化図柄を変動表示させることが決定されやすいようにした。これにより、全列に変動表示される変化図柄が第２変化図柄であるか否かについて、注目させることができる。
【００８２】
（５）図柄変化予告演出を実行した際、左列及び右列に第１変化図柄（又は第２変化図柄）を一旦停止表示させた後、当該変化図柄に変えて、数字図柄を一旦停止表示させるようにした。これにより、第１変化図柄（又は第２変化図柄）によってリーチの図柄組み合わせが形成された際には、リーチの図柄組み合わせを形成する数字図柄について注目させることができ、第１変化図柄（又は第２変化図柄）に代えて数字図柄が一旦停止表示されるタイミングに各列に一旦停止表示された数字図柄の種類に注目させることができる。
【００８３】
（６）数字図柄に代えて、第１変化図柄よりも変動表示される飾り図柄の種類が少ない第２変化図柄が各列に変動表示された場合には、第１変化図柄が各列に変動表示された場合と比較して、大当り期待度の高い数字図柄［７］に対応する飾り図柄によってリーチの図柄組み合わせが一旦停止表示される可能性が高いと思わせることができる。これにより、遊技に対する興趣を向上させることができる。
【００８４】
（７）図柄変化予告演出の実行時、リーチの図柄組み合わせを含まないはずれの図柄組み合わせを確定停止表示させると決定されているときには、当該はずれの図柄組み合わせを構成する３列の数字図柄に関係なく、左列及び右列に一旦停止表示させる第１変化図柄の種類が決定される。そのため、例えば、各列に第１変化図柄を変動表示させて図柄変化予告演出を実行するとき、左列に数字図柄［７］が最終的に確定停止表示される場合であっても、左列に白丸図柄（又は黒丸図柄）が一旦停止表示される場合がある。これにより、ダイヤ図柄が数字図柄［７］に対応する第１変化図柄であること、及び白丸図柄と黒丸図柄が数字図柄［７］に対応しない第１変化図柄であることをごまかすことができる。そのため、例えば、リーチ演出を実行しないはずれの図柄変動ゲームにおいて白丸図柄に代えて数字図柄［７］が一旦停止表示された経験がある遊技者には、左右列に白丸図柄が一旦停止表示された場合であっても、数字図柄［７］によってリーチの図柄組み合わせが構成されたのではないかと思わせることができる。よって、数字図柄［７］に対応しない種類の第１変化図柄が左列に一旦停止表示されたとしても、数字図柄［７］により構成されるリーチの図柄組み合わせが一旦停止表示されたかもしれないと期待させることができる場合がある。
【００８５】
（第２実施形態）
次に、発明を具体化した第２実施形態を図１１〜図１３に基づき説明する。なお、第１実施形態と同様の構成は、第１実施形態と同じ符号を付してその詳細な説明及び図面は省略する。
【００８６】
第２実施形態では、はずれリーチ演出用又は大当り演出用の変動パターンが指定され、図柄変化予告演出を実行する際に、左列及び右列に一旦停止表示させる第１変化図柄の種類の決定態様及び第２変化図柄の種類の決定態様が、第１実施形態とは異なる。
【００８７】
図６に示すステップＳ１３において、演出制御用ＣＰＵ３１ａは、はずれリーチ演出用又は大当り演出用の変動パターンが指定された場合、図１１に示す第１変化図柄組み合わせ決定テーブルＲＴ１１を参照して、リーチの第１変化図柄組み合わせを決定する。第１変化図柄組み合わせ決定テーブルＲＴ１１では、リーチ図柄情報から特定可能な数字図柄の種類毎に、各リーチの第１変化図柄組み合わせが選択される選択率が定められている。第１変化図柄組み合わせ決定テーブルＲＴ１１では、リーチ図柄情報から特定可能な数字図柄が［１］〜［６］である場合、白丸図柄を左右列に一旦停止表示させるリーチの第１変化図柄組み合わせが、ダイヤ図柄を左右列に一旦停止表示させるリーチの第１変化図柄組み合わせよりも決定されやすいように、選択率が定められている。第１変化図柄組み合わせ決定テーブルＲＴ１１では、リーチ図柄情報から特定可能な数字図柄が［１］〜［６］である場合、黒丸図柄を左右列に一旦停止表示させるリーチの第１変化図柄組み合わせが、ダイヤ図柄を左右列に一旦停止表示させるリーチの第１変化図柄組み合わせよりも決定されやすいように、選択率が定められている。但し、第１変化図柄組み合わせ決定テーブルＲＴ１１では、リーチ図柄情報から特定可能な数字図柄が［１］〜［６］であっても、ダイヤ図柄を左右列に一旦停止表示させるリーチの第１変化図柄組み合わせが決定され得る（０％よりも高い選択率）ように、選択率が定められている。
【００８８】
一方、第１変化図柄組み合わせ決定テーブルＲＴ１１では、リーチ図柄情報から特定可能な数字図柄が［７］である場合、ダイヤ図柄を左右列に一旦停止表示させるリーチの第１変化図柄組み合わせが、白丸図柄を左右列に一旦停止表示させるリーチの第１変化図柄組み合わせよりも決定されやすいように、選択率が定められている。第１変化図柄組み合わせ決定テーブルＲＴ１１では、リーチ図柄情報から特定可能な数字図柄が［７］である場合、ダイヤ図柄を左右列に一旦停止表示させるリーチの第１変化図柄組み合わせが、黒丸図柄を左右列に一旦停止表示させるリーチの第１変化図柄組み合わせよりも決定されやすいように、選択率が定められている。但し、第１変化図柄組み合わせ決定テーブルＲＴ１１では、リーチ図柄情報から特定可能な数字図柄が［７］であっても、白丸図柄を左右列に一旦停止表示させるリーチの第１変化図柄組み合わせが決定され得る（０％よりも高い選択率）ように、選択率が定められている。また、第１変化図柄組み合わせ決定テーブルＲＴ１１では、リーチ図柄情報から特定可能な数字図柄が［７］であっても、黒丸図柄を左右列に一旦停止表示させるリーチの第１変化図柄組み合わせが決定され得る（０％よりも高い選択率）ように、選択率が定められている。
【００８９】
そして、ステップＳ１３において演出制御用ＣＰＵ３１ａは、リーチ図柄情報から特定可能な数字図柄の種類に基づき、第１変化図柄組み合わせ決定テーブルＲＴ１１に定められた選択率で、左右列に一旦停止表示させる第１変化図柄の種類を決定する。
【００９０】
また、図６に示すステップＳ１４において、演出制御用ＣＰＵ３１ａは、図１２に示す第２変化図柄組み合わせ決定テーブルＲＴ１２を参照して、リーチの第２変化図柄組み合わせを決定する。第２変化図柄組み合わせ決定テーブルＲＴ１２では、リーチ図柄情報から特定可能な数字図柄の種類毎に、各リーチの第２変化図柄組み合わせが選択される選択率が定められている。第２変化図柄組み合わせ決定テーブルＲＴ１２では、リーチ図柄情報から特定可能な数字図柄が［１］〜［６］である場合、ハート図柄を左右列に一旦停止表示させるリーチの第２変化図柄組み合わせが、星図柄を左右列に一旦停止表示させるリーチの第２変化図柄組み合わせよりも決定されやすいように、選択率が定められている。但し、第２変化図柄組み合わせ決定テーブルＲＴ１２では、リーチ図柄情報から特定可能な数字図柄が［１］〜［６］であっても、星図柄を左右列に一旦停止表示させるリーチの第２変化図柄組み合わせが決定され得る（０％よりも高い選択率）ように、選択率が定められている。
【００９１】
一方、第２変化図柄組み合わせ決定テーブルＲＴ１２では、リーチ図柄情報から特定可能な数字図柄が［７］である場合、星図柄を左右列に一旦停止表示させるリーチの第２変化図柄組み合わせが、ハート図柄を左右列に一旦停止表示させるリーチの第２変化図柄組み合わせよりも決定されやすいように、選択率が定められている。但し、第２変化図柄組み合わせ決定テーブルＲＴ１２では、リーチ図柄情報から特定可能な数字図柄が［７］であっても、ハート図柄を左右列に一旦停止表示させるリーチの第２変化図柄組み合わせが決定され得る（０％よりも高い選択率）ように、選択率が定められている。
【００９２】
そして、ステップＳ１４において演出制御用ＣＰＵ３１ａは、リーチ図柄情報から特定可能な数字図柄の種類に基づき、第２変化図柄組み合わせ決定テーブルＲＴ１２に定められた選択率で、左右列に一旦停止表示させる第２変化図柄の種類を決定する。
【００９３】
ここで、本実施形態における図柄変化予告演出を実行する図柄変動ゲームの演出態様について、図１３に基づき説明する。
なお、図１３に示す図柄変動ゲームは、変動パターンＨＰ５に基づいて実行される図柄変動ゲームであるものとする。また、図１３に示す図柄変動ゲームでは、数字図柄に代えて第２変化図柄を変動表示させることが決定されたものとする。また、図１３の図柄変動ゲーム開始時には、確定停止表示させる大当りの図柄組み合わせとして、数字図柄［７］によって構成されるリーチの図柄組み合わせを含む大当りの図柄組み合わせ［７７７］が決定されたものとする。また、図柄変化予告演出において、左列及び右列にはハート図柄を一旦停止表示させることが決定されたものとする。
【００９４】
図１３（ａ）に示すように、各列に数字図柄が変動表示（図１３では、白抜きの矢印で示す）されることによって、図柄変動ゲームが開始される。次に、１秒後、図１３（ｂ）に示すように、各列に変動表示されている数字図柄に代わって、第１変化図柄が変動表示（図１３では、縦縞模様の矢印で示す）される。その更に１秒後、図１３（ｃ）に示すように、各列に第２変化図柄が変動表示（図１３では、横縞模様の矢印で示す）される。その後、各列に第２変化図柄が変動表示された後、図１３（ｄ）に示すように、左列に前提より決められたハート図柄が一旦停止表示される。左列に飾り図柄が一旦停止表示された後には、図１３（ｅ）に示すように、右列にハート図柄が一旦停止表示される。
【００９５】
このとき、遊技者は、数字図柄［１］〜［６］のうちの数字図柄によって構成されるリーチの図柄組み合わせが一旦停止表示されたかもしれないと思うものの、数字図柄［７］によって構成されるリーチの図柄組み合わせが一旦停止表示されたことを期待する。すなわち、ハート図柄によってリーチの図柄組み合わせが一旦停止表示されたからといって、数字図柄［１］〜［６］のうちの数字図柄によってリーチの図柄組み合わせが構成されるとは限らないので、大当り期待度の高い数字図柄［７］によってリーチの図柄組み合わせが構成されることを期待させることができる。
【００９６】
また、左列及び右列にハート図柄が一旦停止表示されると、２秒後、図１３（ｆ）に示すように、左列及び右列に一旦停止表示されたハート図柄に代えて、数字図柄［７］が左列及び右列に一旦停止表示される。これにより、遊技者は大当りへの期待感を向上させる。その後、中列に数字図柄を変動表示させる。その後、図１３（ｇ）に示すように変動パターンＨＰ５に基づくスーパーリーチ演出が実行される。図１３（ｈ）に示すように、最終的に、確定停止表示させると決定した数字図柄による図柄組み合わせ［７７７］が確定停止表示される。
【００９７】
以上、詳述したように、本実施形態は、第１実施形態の効果（１）〜（５）に加えて、以下の効果を有する。
（８）数字図柄［７］により構成されるリーチの図柄組み合わせが一旦停止表示される場合でも、数字図柄［１］〜［６］により構成されるリーチの図柄組み合わせが一旦停止表示されるときに左列及び右列に一旦停止表示させる第１変化図柄の種類として高確率で決定される種類の第１変化図柄を決定できる。これにより、どの種類の第１変化図柄が一旦停止表示されても、数字図柄［７］により構成されるリーチの図柄組み合わせが一旦停止表示されることを期待させることができる。
【００９８】
同様に、数字図柄［７］により構成されるリーチの図柄組み合わせが一旦停止表示される場合でも、数字図柄［１］〜［６］により構成されるリーチの図柄組み合わせが一旦停止表示されるときに左列及び右列に一旦停止表示させる第２変化図柄の種類として高確率で決定される種類の第２変化図柄を決定できる。これにより、どの種類の第２変化図柄が一旦停止表示されても、数字図柄［７］により構成されるリーチの図柄組み合わせが一旦停止表示されることを期待させることができる。
【００９９】
（９）数字図柄［１］〜［６］によって構成されるリーチの図柄組み合わせを一旦停止表示させる場合でも、左列及び右列に一旦停止表示させる第１変化図柄の種類としてダイヤ図柄が決定できる。すなわち、数字図柄［７］によって構成されるリーチの図柄組み合わせを一旦停止表示させる場合に、左列及び右列に一旦停止表示させる第１変化図柄の種類として高確率で決定されるダイヤ図柄を決定できる。これにより、どの種類の第１変化図柄が一旦停止表示された場合であっても、どの種類の数字図柄によってリーチの図柄組み合わせが形成されたかについて注目させることができる。
【０１００】
同様に、数字図柄［１］〜［６］によって構成されるリーチの図柄組み合わせを一旦停止表示させる場合でも、左列及び右列に一旦停止表示させる第２変化図柄の種類として星図柄が決定できる。すなわち、数字図柄［７］によって構成されるリーチの図柄組み合わせを一旦停止表示させる場合に、左列及び右列に一旦停止表示させる第２変化図柄の種類として高確率で決定される星図柄を決定できる。これにより、どの種類の第２変化図柄が一旦停止表示された場合であっても、どの種類の数字図柄によってリーチの図柄組み合わせが形成されたかについて注目させることができる。
【０１０１】
（第３実施形態）
次に、発明を具体化した第３実施形態を図１４〜図１６に基づき説明する。なお、既に説明した第１実施形態と同様の構成は、第１実施形態と同じ符号を付してその詳細な説明及び図面は省略する。
【０１０２】
第３実施形態では、はずれリーチ演出用又は大当り演出用の変動パターンが指定され、図柄変化予告演出を実行するときに全列に第１変化図柄を変動表示させることを決定した際に、左列及び右列に一旦停止表示させる第１変化図柄の種類の決定態様が、第１実施形態と異なる。詳しく説明すると、第３実施形態では、リーチ演出が実行されない図柄変動ゲームにおいても一旦停止表示され得る非リーチの第１変化図柄組み合わせ［○↓●］を、リーチ演出が実行される図柄変動ゲームにおいても一旦停止表示させる場合がある。以下、リーチ演出が実行される図柄変動ゲームにおいても一旦停止表示される非リーチの第１変化図柄組み合わせ［○↓●］を、「特定非リーチの第１変化図柄組み合わせ」と示す場合がある。
【０１０３】
また、本実施形態では、図６に示すステップＳ１３において、指定された変動パターンの演出内容にスーパーリーチ演出が含まれるか否かに応じて、一旦停止表示させる第１変化図柄の種類の決定態様を異ならせている。以下、詳しく説明する。
【０１０４】
図６に示すステップＳ１３において演出制御用ＣＰＵ３１ａは、スーパーリーチ演出を演出内容に含まない（ノーマルリーチ演出のみを演出内容に含む）変動パターンＨＰ２，ＨＰ４が指定された場合、図１４に示す第１変化図柄組み合わせ決定テーブルＲＴ３１を参照して、リーチの第１変化図柄組み合わせを決定する。第１変化図柄組み合わせ決定テーブルＲＴ３１では、リーチ図柄情報から特定可能な数字図柄の種類毎に、各リーチの第１変化図柄組み合わせ及び特定非リーチの第１変化図柄組み合わせが選択される選択率が定められている。図１４に示すように、第１変化図柄組み合わせ決定テーブルＲＴ３１では、リーチ図柄情報から特定可能な数字図柄が［１］又は［２］である場合、白丸図柄を左右列に一旦停止表示させるリーチの第１変化図柄組み合わせが決定されるように、選択率が定められている。また、第１変化図柄組み合わせ決定テーブルＲＴ３１では、リーチ図柄情報から特定可能な数字図柄が［３］又は［４］である場合、白丸図柄を左右列に一旦停止表示させるリーチの第１変化図柄組み合わせ、又は黒丸図柄を左右列に一旦停止表示させるリーチの第１変化図柄組み合わせが決定されるように、選択率が定められている。また、第１変化図柄組み合わせ決定テーブルＲＴ３１では、リーチ図柄情報から特定可能な数字図柄が［５］又は［６］である場合、黒丸図柄を左右列に一旦停止表示させるリーチの第１変化図柄組み合わせが決定されるように、選択率が定められている。また、第１変化図柄組み合わせ決定テーブルＲＴ３１では、リーチ図柄情報から特定可能な数字図柄が［７］である場合、白丸図柄、黒丸図柄又はダイヤ図柄を左右列に一旦停止表示させるリーチの第１変化図柄組み合わせが決定されるように、選択率が定められている。
【０１０５】
このように、第１変化図柄組み合わせ決定テーブルＲＴ３１では、リーチ図柄情報から特定可能な数字図柄の種類に係らず、特定非リーチの第１変化図柄組み合わせが決定されないように、選択率が定められている。
【０１０６】
そして、ステップＳ１３において、ノーマルリーチ演出のみを演出内容に含む変動パターンＨＰ２，ＨＰ４が指定された場合、演出制御用ＣＰＵ３１ａは、リーチ図柄情報から特定可能な数字図柄の種類に基づき、第１変化図柄組み合わせ決定テーブルＲＴ３１に定められた選択率で、左右列に一旦停止表示させる第１変化図柄の種類を決定する。
【０１０７】
図６に示すステップＳ１３において演出制御用ＣＰＵ３１ａは、スーパーリーチ演出を演出内容に含む変動パターンＨＰ３，ＨＰ５が指定された場合、図１５に示す第１変化図柄組み合わせ決定テーブルＲＴ４１を参照して、リーチの第１変化図柄組み合わせを決定する。第１変化図柄組み合わせ決定テーブルＲＴ４１では、リーチ図柄情報から特定可能な数字図柄の種類毎に、各リーチの第１変化図柄組み合わせ及び特定非リーチの第１変化図柄組み合わせが選択される選択率が定められている。図１５に示すように、第１変化図柄組み合わせ決定テーブルＲＴ４１では、リーチ図柄情報から特定可能な数字図柄が［１］又は［２］である場合、白丸図柄を左右列に一旦停止表示させるリーチの第１変化図柄組み合わせが決定されるように、選択率が定められている。また、第１変化図柄組み合わせ決定テーブルＲＴ４１では、リーチ図柄情報から特定可能な数字図柄が［３］又は［４］である場合、白丸図柄を左右列に一旦停止表示させるリーチの第１変化図柄組み合わせ、又は黒丸図柄を左右列に一旦停止表示させるリーチの第１変化図柄組み合わせが決定されるように、選択率が定められている。また、第１変化図柄組み合わせ決定テーブルＲＴ４１では、リーチ図柄情報から特定可能な数字図柄が［３］又は［４］である場合、特定非リーチの第１変化図柄組み合わせが決定され得るように、選択率が定められている。
【０１０８】
また、第１変化図柄組み合わせ決定テーブルＲＴ４１では、リーチ図柄情報から特定可能な数字図柄が［５］又は［６］である場合、黒丸図柄を左右列に一旦停止表示させるリーチの第１変化図柄組み合わせが決定されるように、選択率が定められている。また、第１変化図柄組み合わせ決定テーブルＲＴ４１では、リーチ図柄情報から特定可能な数字図柄が［７］である場合、白丸図柄、黒丸図柄又はダイヤ図柄を左右列に一旦停止表示させるリーチの第１変化図柄組み合わせが決定されるように、選択率が定められている。また、第１変化図柄組み合わせ決定テーブルＲＴ４１では、リーチ図柄情報から特定可能な数字図柄が［７］である場合、特定非リーチの第１変化図柄組み合わせが決定され得るように、選択率が定められている。
【０１０９】
そして、ステップＳ１３において、スーパーリーチ演出を演出内容に含む変動パターンＨＰ３，ＨＰ５が指定された場合、演出制御用ＣＰＵ３１ａは、リーチ図柄情報から特定可能な数字図柄の種類に基づき、第１変化図柄組み合わせ決定テーブルＲＴ４１に定められた選択率で、左右列に一旦停止表示させる第１変化図柄の種類を決定する。
【０１１０】
このように、特定非リーチの第１変化図柄組み合わせ（［○↓●］）は、リーチ演出が実行されずにはずれとなる図柄変動ゲーム、又はスーパーリーチ演出が実行される図柄変動ゲームにおいて一旦停止表示され得る。そのため、特定非リーチの第１変化図柄組み合わせが一旦停止表示された後に、数字図柄によってリーチの図柄組み合わせが一旦停止表示された場合には、大当り期待度の高いスーパーリーチ演出が実行されることを認識させることができる。
【０１１１】
ここで、第３実施形態における図柄変化予告演出を実行する図柄変動ゲームの演出態様について、図１６に基づき説明する。
なお、図１６に示す図柄変動ゲームは、変動パターンＨＰ５に基づいて実行される図柄変動ゲームであるものとする。また、図１６に示す図柄変動ゲームでは、数字図柄に代えて第１変化図柄を変動表示させることが決定されたものとする。また、図１６の図柄変動ゲーム開始時には、確定停止表示させる大当りの図柄組み合わせとして、数字図柄［７］によって構成されるリーチの図柄組み合わせを含む大当りの図柄組み合わせ［７７７］が決定されたものとする。また、図柄変化予告演出において、特定非リーチの第１変化図柄組み合わせ（［○↓●］）を一旦停止表示させることが決定されたものとする。
【０１１２】
図１６（ａ）に示すように、各列における数字図柄の変動表示が開始されることによって、図柄変動ゲームが開始される。また、前提の通り、第１変化図柄を変動表示される図柄変化予告演出を実行するため、図１６（ｂ）に示すように、各列に変動表示されている数字図柄に代わって、第１変化図柄が各列に変動表示される。また、図１６（ｃ）に示すように、左列に白丸図柄が一旦停止表示される。このとき、遊技者は、右列に少なくともダイヤ図柄以外の飾り図柄（白丸図柄若しくは黒丸図柄）が一旦停止表示されれば、リーチ演出が実行される可能性があることを認識する。
【０１１３】
また、左列に飾り図柄が一旦停止表示された後には、図１６（ｄ）に示すように、右列に黒丸図柄が一旦停止表示され、特定非リーチの第１変化図柄組み合わせが一旦停止表示される。このとき、遊技者は、リーチ演出が実行されるか否かについて特定できていないため、一旦停止表示された特定非リーチの第１変化図柄組み合わせに代わって一旦停止表示される数字図柄がリーチの図柄組み合わせとなるか否かについて注目する。
【０１１４】
そして、特定非リーチの第１変化図柄組み合わせが一旦停止表示されてから２秒後、図１６（ｅ）に示すように、特定非リーチの第１変化図柄組み合わせを形成する白丸図柄と黒丸図柄を数字図柄［７］に代えて一旦停止表示されるとともに、中列には数字図柄が変動表示される。これにより、遊技者は、大当り期待度の高いスーパーリーチ演出が実行されることを認識するとともに、リーチの図柄組み合わせを形成する数字図柄が［７］であることから、大当りへの期待感を高める。その後、図１６（ｆ）に示すようにスーパーリーチ演出が実行され、図１６（ｇ）に示すように、最終的に、確定停止表示させると決定した数字図柄による図柄組み合わせ［７７７］が確定停止表示される。
【０１１５】
したがって、本実施形態によれば、第１実施形態の効果（１）〜（５）に加えて、以下に示す効果を得ることができる。
（１０）リーチ演出が実行される場合であっても、リーチ演出が実行されない場合に一旦停止表示される特定非リーチの第１変化図柄組み合わせ（［○↓●］）が一旦停止表示されるようにした。また、特定非リーチの第１変化図柄組み合わせは、左列に白丸図柄、右列に黒丸図柄が一旦停止表示される第１変化図柄組み合わせとした。このため、白丸図柄が左列に一旦停止表示され、中列及び右列の第１変化図柄が変動表示されているとき、遊技者は、右列に少なくともダイヤ図柄が一旦停止表示されなければリーチ演出が実行される可能性があることを認識できる。すなわち、左列に白丸図柄が一旦停止表示された際には、左列に特定非リーチの第１変化図柄組み合わせとならない黒丸図柄若しくはダイヤ図柄が一旦停止表示されるよりも、数字図柄によるリーチの図柄組み合わせが一旦停止表示される確率が高いかのように見せることができる。
【０１１６】
（１１）特定非リーチの第１変化図柄組み合わせは、スーパーリーチ演出が実行される図柄変動ゲーム又はリーチ演出が実行されない図柄変動ゲームにて一旦停止表示されるようにした。これにより、特定非リーチの第１変化図柄組み合わせが一旦停止表示された際には、当該特定非リーチの第１変化図柄組み合わせに代えて、数字図柄が一旦停止表示されるまで、リーチ演出が実行されるか否かについて注目させることができる。
【０１１７】
（１２）特定非リーチの第１変化図柄組み合わせが一旦停止表示された後、当該特定非リーチの第１変化図柄組み合わせに代えて、数字図柄により構成されるリーチの図柄組み合わせが一旦停止表示された場合にはスーパーリーチ演出が実行されることを認識できるようにした。そのため、特定非リーチの第１変化図柄組み合わせが一旦停止表示された後、当該特定非リーチの第１変化図柄組み合わせに代えて、数字図柄によるリーチの図柄組み合わせが一旦停止表示された際には、大当り期待度の高いスーパーリーチ演出が実行されることを認識できるため、大当りへの期待感を高めることができる。
【０１１８】
（１３）数字図柄［７］によって構成されるリーチの図柄組み合わせが一旦停止表示される場合にも、特定非リーチの第１変化図柄組み合わせを一旦停止表示させることができるようにした。これにより、特定非リーチの第１変化図柄組み合わせが一旦停止表示されたときも、大当り期待度の高い数字図柄［７］によって構成されるリーチの図柄組み合わせが一旦停止表示されるか否かについて注目させることができる。
【０１１９】
（第４実施形態）
次に、発明を具体化した第４実施形態を図１７に基づき説明する。なお、既に説明した第１実施形態と同様の構成は、第１実施形態と同じ符号を付してその詳細な説明及び図面は省略する。
【０１２０】
第４実施形態におけるパチンコ遊技機では、遊技者にとって有利な確率変動状態（以下、「確変状態」と示す）が付与される場合がある。確変状態が付与された場合、大当り抽選の当選確率（抽選確率）を低確率（通常確率）から高確率へ変動（向上）させる。また、確変状態は、次に大当り遊技が付与されるまでの間、付与される。このように確変状態が付与された場合は、大当り抽選の当選確率が高確率に変動して大当り遊技が生起され易くなるため、遊技者にとって有利な状態となる。
【０１２１】
また、第４実施形態のパチンコ遊技機では、大当り抽選に当選した場合、２種類の大当り遊技の中から１つの大当り遊技が決定され、その決定された大当り遊技が付与されるようになっている。本実施形態では、大当り遊技終了後に確変状態が付与される確変大当り遊技と、大当り遊技終了後に確変状態が付与されない（非確変状態が付与される）非確変大当り遊技のうち何れかの大当り遊技が付与されるようになっている。なお、本実施形態における確変大当り遊技中の大入賞口１８の開放態様と、非確変大当り遊技中の大入賞口１８の開放態様は同じとしている。そのため、本実施形態のパチンコ遊技において、確変大当り遊技は、非確変大当り遊技よりも遊技者にとって有利な大当り遊技となる。
【０１２２】
ここで、大当り抽選に当選した場合に主制御用ＣＰＵ３０ａが行う、付与する大当り遊技の決定に係る制御について、説明する。
特図入力処理において主制御用ＣＰＵ３０ａは、大当り判定用乱数及び変動パターン振分用乱数の値を取得する際、特図振分用乱数の値も同時に取得し、大当り判定用乱数とともに主制御用ＲＡＭ３０ｃの所定の記憶領域に設定する。特図振分用乱数は、大当り抽選に当選した場合に、特別図柄（大当り図柄）の種類を決定するとともに、付与する大当り遊技の種類を決定するために用いる乱数である。
【０１２３】
また、主制御用ＲＯＭ３０ｂには、特図判定値が記憶されている。特図判定値には、確変大当り遊技を付与することを決定する値の特図判定値と、非確変大当り遊技を付与することを決定する値の特図判定値があり、それぞれ異なる値が特図振分用乱数の取り得る数値の中から定められている。そして、主制御用ＣＰＵ３０ａは、大当り変動処理において大当り図柄を決定する際、取得した特図振分用乱数の値を読み出し、当該特図振分用乱数の値が確変大当り遊技を付与することを決定する特図判定値の値と一致した場合、確変大当り遊技を示す種類の大当り図柄を決定する。一方、主制御用ＣＰＵ３０ａは、大当り変動処理において大当り図柄を決定する際、取得した特図振分用乱数の値を読み出し、当該特図振分用乱数の値が非確変大当り遊技を付与することを決定する特図判定値の値と一致する場合、非確変大当り遊技を示す種類の大当り図柄を決定する。そして、特別図柄開始処理にて大当り図柄の種類を決定した主制御用ＣＰＵ３０ａは、特別図柄指定コマンドによって、決定した大当り図柄の種類を指定する。
【０１２４】
そして、主制御用ＣＰＵ３０ａは、確変大当り遊技の付与を終了すると、確変状態が付与されているか否かを示す確変フラグに、確変状態が付与されていることを示す値（本実施形態では、「１」）を設定する。一方、主制御用ＣＰＵ３０ａは、非確変大当り遊技の付与を終了すると、確変フラグに、確変状態が付与されていないことを示す値（本実施形態では、「０」）を設定する。なお、本実施形態において主制御用ＣＰＵ３０ａは、大当り遊技の付与を開始する際、確変フラグに、確変状態が付与されていないことを示す値を設定する。
【０１２５】
また、本実施形態では、付与される大当り遊技の種類によって、確定停止表示される大当りの図柄組み合わせを構成する数字図柄の種類の決定態様を異ならせている。以下、確定停止表示させる大当りの図柄組み合わせの決定に係る制御について説明する。
【０１２６】
演出制御用ＣＰＵ３１ａは、大当り図柄が指定された場合、当該指定された大当り図柄が示す大当り遊技の種類に応じて、演出表示装置１１に確定停止表示させる大当りの図柄組み合わせを決定する。具体的には、演出制御用ＣＰＵ３１ａは、大当り図柄が指定された場合、図１７に示す大当り飾り図柄決定テーブルＯＴを参照して、指定された大当り図柄が示す大当り遊技の種類に応じて、確定停止表示させる大当りの図柄組み合わせのうち、左列及び右列に確定停止表示させる数字図柄の種類を決定する。
【０１２７】
具体的には、大当り飾り図柄決定テーブルＯＴでは、指定された大当り図柄が確変大当り遊技を示す種類の大当り図柄である場合、左列及び右列に確定停止表示させる数字図柄として、数字図柄［７］を、数字図柄［１］〜［６］よりも決定しやすいように、選択率が定められている。また、大当り飾り図柄決定テーブルＯＴでは、指定された大当り図柄が確変大当り遊技を示す種類の大当り図柄である場合、奇数の数字図柄［１］、［３］、［５］、［７］の中から、左列及び右列に確定停止表示させる数字図柄の種類が決定されるように、選択率が定められている。
【０１２８】
その一方で、大当り飾り図柄決定テーブルＯＴでは、指定された大当り図柄が非確変大当り遊技を示す種類の大当り図柄である場合、左列及び右列に確定停止表示させる数字図柄として、数字図柄［１］〜［６］を、数字図柄［７］よりも決定しやすいように、選択率が定められている。また、大当り飾り図柄決定テーブルＯＴでは、指定された大当り図柄が非確変大当り遊技を示す種類の大当り図柄である場合、偶数の数字図柄［２］、［４］、［６］の中から、左列及び右列に確定停止表示させる数字図柄の種類が決定されるように、選択率が定められている。
【０１２９】
また、大当り飾り図柄決定テーブルＯＴを参照して、確定停止表示させる図柄組み合わせの左列及び右列の飾り図柄を決定した演出制御用ＣＰＵ３１ａは、中列に確定停止表示させる飾り図柄として、左列及び右列に確定停止表示させると決定した飾り図柄と同じ飾り図柄を決定する。
【０１３０】
このように、本実施形態では、確変大当り遊技が付与される際には数字図柄［７］によって構成されるリーチの図柄組み合わせを含む大当りの図柄組み合わせ（［７７７］）が確定停止表示されやすくなっている。その一方で、非確変大当り遊技が付与される際には数字図柄［２］、［４］又は［６］によって構成されるリーチの図柄組み合わせを含む大当りの図柄組み合わせ（例えば、［４４４］）が確定停止表示されやすくなっている。
【０１３１】
したがって、本実施形態によれば、第１実施形態の効果（１）〜（５）に加えて、以下に示す効果を得ることができる。
（１４）数字図柄［７］により構成されるリーチの図柄組み合わせが一旦停止表示された際には、大当りとなることを期待することができるとともに、遊技者にとって有利な確変大当り遊技が付与されることも期待することができるようにした。このため、遊技者は、数字図柄［１］〜［６］により構成されるリーチの図柄組み合わせが一旦停止表示されるよりも、数字図柄［７］により構成されるリーチの図柄組み合わせが一旦停止表示されることを望む。そして、実際に、数字図柄［７］により構成されるリーチの図柄組み合わせが一旦停止表示された際には、遊技者の興趣を向上させることができる。
【０１３２】
（１５）奇数の数字図柄［１］、［３］、［５］又は［７］によって構成されるリーチの図柄組み合わせを含む大当りの図柄組み合わせが確定停止表示された場合には確変大当り遊技が付与されることを認識できるようにした。また、偶数の数字図柄［２］、［４］又は［６］によって構成されるリーチの図柄組み合わせを含む大当りの図柄組み合わせが確定停止表示された場合には非確変大当り遊技が付与されることを認識できるようにした。
【０１３３】
その一方で、図柄変化予告演出を実行する場合には、数字図柄の種類が奇数であっても、偶数であっても同じ種類の変化図柄が左列及び右列に一旦停止表示され得る。そのため、左列及び右列に同じ変化図柄が一旦停止表示されても、当該変化図柄に代えて、数字図柄が一旦停止表示されるまで、確変大当り遊技が付与されることを期待できるか否か認識できなくなる。したがって、一旦停止表示された変化図柄に代えて、数字図柄が一旦停止表示されるまで、一旦停止表示された飾り図柄に注目させることができる。
【０１３４】
なお、上記各実施形態は以下のように変更してもよい。
・上記第１実施形態〜第４実施形態において、図柄変化予告演出を実行しないときに各列で変動表示される数字図柄が数字である必要はない。例えば、［あ］［い］［う］［え］［お］のように文字の飾り図柄（例えば、文字図柄）を変動表示させても良い。このような場合、例えば、文字の飾り図柄［お］を大当り期待度の高い文字図柄として設定しても良い。
【０１３５】
・上記第１実施形態〜第４実施形態において、数字図柄［７］によってリーチの図柄組み合わせが形成された場合、数字図柄［１］〜［６］によってリーチの図柄組み合わせが形成された場合と比較して、大当りへの期待感が高まるように構成したが、例えば、数字図柄［３］であっても良い。
【０１３６】
・上記第１実施形態〜第４実施形態において、数字図柄［１］〜［６］においても、リーチの図柄組み合わせが形成された際の大当りへの期待感を異ならせても良い。例えば、［１］→［２］→［３］→［４］→［５］→［６］→［７］の順に、リーチの図柄組み合わせが形成された際の大当りへの期待感が高まるように構成しても良い。
【０１３７】
・上記第１実施形態〜第４実施形態において、図柄変化予告演出を実行することを決定した際、はずれ通常演出用の変動パターンが指定されている場合であっても、各列に第２変化図柄を変動表示させることを決定可能に構成しても良い。このように構成したとき、演出制御用ＣＰＵ３１ａは、はずれ通常演出用の変動パターンが指定された場合、左列に一旦停止表示させる第２変化図柄の種類と、右列に一旦停止表示させる第２変化図柄の種類が異なるように、左列及び右列に一旦停止表示させる第２変化図柄の種類が定められた第２変化図柄組み合わせを決定する。上記実施形態に適用した場合、演出制御用ＣＰＵ３１ａは、［ハ↓☆］又は［☆↓ハ］のうち何れかを一旦停止表示させる第２変化図柄組み合わせを決定する。
【０１３８】
・上記第１実施形態〜第４実施形態において、通常演出モードを実行しなくても良い。すなわち、常に特別演出モードで図柄変動ゲームを実行するようにしても良い。
・上記第１実施形態〜第４実施形態において、スーパーリーチ演出よりも大当り期待度の高いリーチ演出（スペシャルリーチ演出）を実行可能に構成し、当該リーチ演出を演出内容に含む大当り演出用及びはずれリーチ演出用の変動パターンを備えても良い。このとき、図柄変化予告演出を実行することを決定し、スペシャルリーチ演出を演出内容に含む変動パターンが指定された場合には、全列に必ず第２変化図柄を変動表示させることが決定されるようにしても良い。このようにすることで、全列に第２変化図柄が変動表示された際の大当りへの期待感を高めることができるとともに、全列に変動表示される飾り図柄の種類について注目させることができる。
【０１３９】
・上記第１実施形態〜第４実施形態において、指定された変動パターンによって実行抽選の当選確率を変更したが、同じ当選確率で実行抽選を行うようにしても良い。
・上記第１実施形態〜第４実施形態において、大当り演出用の変動パターンが指定された場合（大当りのとき）の実行抽選の当選確率と、はずれリーチ演出用の変動パターンが指定された場合（はずれのとき）の実行抽選の当選確率を異ならせても良い。例えば、大当り演出用の変動パターンが指定された場合の実行抽選の当選確率を、はずれリーチ演出用の変動パターンが指定された場合の実行抽選の当選確率よりも高く設定しても良い。このような場合には、図柄変化予告演出が実行されるだけで、大当りへの期待感を高めることができる。
【０１４０】
・上記第１実施形態〜第４実施形態において、図柄変化予告演出の実行時、左列と右列だけ、変動表示させる飾り図柄を数字図柄に代えて、第１変化図柄（又は第２変化図柄）を変動表示させるようにしても良い。すなわち、図柄変化予告演出を実行しても、中列には数字図柄を変動表示させるようにしても良い。
【０１４１】
・上記第１実施形態〜第４実施形態において、第１変化図柄及び第２変化図柄の種類（数）を変更しても良い。
・上記第１実施形態〜第４実施形態において、数字図柄、第１変化図柄及び第２変化図柄の変動順序を変更しても良い。
【０１４２】
・上記第１実施形態〜第４実施形態において、第１変化図柄の表示態様を変更しても良い。また、第２変化図柄の表示態様を変更しても良い。例えば、ハート図柄の代わりに、クローバーを模したクローバー図柄を変動表示させても良い。なお、表示態様の変更とは、色、数字（文字）、形状、大きさ、種類（数）など表示上（見た目上）の変更を示す。
【０１４３】
・上記第１実施形態〜第４実施形態において、滞在回数を一定の回数（例えば、３０回や１０回）に定めても良い。
・上記第１実施形態〜第４実施形態において、滞在回数を決定する確率を変更しても良いし、抽選で決定される滞在回数を変更しても良い。
【０１４４】
・上記第１実施形態〜第４実施形態において、滞在回数を設定しなくても良い。例えば、特別演出モード中、図柄変動ゲーム開始時に転落抽選を行い、当該転落抽選に当選した場合に通常演出モードに移行するようにしても良い。
【０１４５】
・上記第１実施形態〜第４実施形態において、特別演出モードへの移行契機を変更しても良い。例えば、通常演出モード中にはずれの図柄変動ゲームでスーパーリーチ演出が実行されたことを契機に、次の図柄変動ゲームから特別演出モードへ移行するようにしても良い。
【０１４６】
・上記第１実施形態〜第４実施形態において、スーパーリーチ演出が実行される場合には、ノーマルリーチ演出のみが実行される場合と比較して、リーチの図柄組み合わせを構成する数字図柄として［７］が決定されやすいように構成しても良い。
【０１４７】
・上記第１実施形態〜第４実施形態において、各列に第２変化図柄を変動表示させる場合、全列に数字図柄を変動表示させた後、第１変化図柄を変動表示させ、その後、第２変化図柄を変動表示させるようにしたが、全列に数字図柄を変動表示させた後、第１変化図柄を変動表示させずに、第２変化図柄を変動表示させるようにしても良い。
【０１４８】
・上記第１実施形態〜第４実施形態において、大当りとなる図柄変動ゲームでは、図柄変化予告演出を実行する場合、第２変化図柄を各列に変動表示させることが可能に構成する一方で、はずれとなる図柄変動ゲームでは、図柄変化予告演出を実行することを決定した場合でも第２変化図柄を各列に変動表示させないように構成しても良い。すなわち、各列に第２変化図柄が変動表示された場合には図柄変動ゲームが大当りとなることを認識できるように構成しても良い。このようにすることで、各列に変動表示される飾り図柄の種類（数字図柄、第１変化図柄又は第２変化図柄）に注目させることができる。
【０１４９】
・上記第１実施形態〜第４実施形態において、リーチ演出が実行されるはずれの図柄変動ゲームでは、数字図柄［７］により構成されるリーチの図柄組み合わせが一旦停止表示されないように規制しても良い。これにより、数字図柄［７］により構成されるリーチの図柄組み合わせが一旦停止表示された際には、遊技者の興趣を向上させることができる。
【０１５０】
・上記第１実施形態〜第４実施形態において、右列の変化図柄が一旦停止表示されてから、当該変化図柄に代えて、数字図柄を一旦停止表示させるようにしたが、３列の変化図柄が一旦停止表示されてから、当該変化図柄に代えて、数字図柄を一旦停止表示させるようにしても良い。この場合、中列に一旦停止表示させる第１変化図柄（又は第２変化図柄）の種類も決定しなければならない。
【０１５１】
・上記第１実施形態において、左列及び右列に白丸図柄を一旦停止表示させること（［○↓○］）が決定される確率と、左列及び右列に黒丸図柄を一旦停止表示させること（［●↓●］）が決定される確率を、数字図柄毎に変更しても良い。例えば、リーチ図柄情報から特定可能な数字図柄が［１］〜［３］のときは、左列及び右列に白丸図柄を一旦停止表示させることが、黒丸図柄を一旦停止表示させることよりも決定されやすく構成する。その一方で、リーチ図柄情報から特定可能な数字図柄が［４］〜［６］のときは、左列及び右列に黒丸図柄を一旦停止表示させることが、白丸図柄を一旦停止表示させることよりも決定されやすく構成しても良い。
【０１５２】
・上記第２実施形態において、リーチ図柄情報から特定可能な数字図柄が［１］〜［６］である場合には、左列及び右列に一旦停止表示させる第１変化図柄としてダイヤ図柄を決定しないようにしても良い。これにより、各列に第１変化図柄を変動表示させて図柄変化予告演出が実行されたときに、左列にダイヤ図柄が一旦停止表示された際、より右列にダイヤ図柄が一旦停止表示されるか否かについて注目させることができる。同様に、リーチ図柄情報から特定可能な数字図柄が［１］〜［６］である場合には、左列及び右列に一旦停止表示させる第２変化図柄として星図柄を決定しないようにしても良い。これにより、各列に第２変化図柄を変動表示させて図柄変化予告演出が実行されたときに、左列に星図柄が一旦停止表示された際、より右列に星図柄が一旦停止表示されるか否かについて注目させることができる。
【０１５３】
・上記第２実施形態において、リーチ図柄情報から特定可能な数字図柄が［７］である場合には、左列及び右列に一旦停止表示させる第１変化図柄として白丸図柄及び黒丸図柄を決定しないようにしても良い。同様に、リーチ図柄情報から特定可能な数字図柄が［７］である場合には、左列及び右列に一旦停止表示させる第２変化図柄としてハート図柄を決定しないようにしても良い。
【０１５４】
・上記第３実施形態において、特定非リーチの第１変化図柄組み合わせを変更しても良い。例えば、左列に黒丸図柄、右列に白丸図柄の第１変化図柄組み合わせ（［●↓○］）としても良い。また、左列にダイヤ図柄、右列に黒丸図柄の第１変化図柄組み合わせ（［◇↓●］）としても良い。
【０１５５】
・上記第３実施形態において、特定非リーチの第１変化図柄組み合わせを増やしても良い。例えば、２種類、５種類としても良い。また、リーチ演出が実行されずはずれとなる図柄変動ゲーム（はずれ通常演出用の変動パターンが指定されたとき）において、左列及び右列に一旦停止表示される第１変化図柄全てを特定非リーチの第１変化図柄組み合わせとしても良い。
【０１５６】
・上記第３実施形態において、スーパーリーチ演出よりも大当り期待度の高いリーチ演出（特殊リーチ演出）を実行可能に構成し、当該リーチ演出が実行されるときにのみ特定非リーチの第１変化図柄組み合わせを一旦停止表示させるようにしても良い。また、特殊リーチ演出を演出内容に含む変動パターンを備え、当該変動パターンが指定されたときに図柄変化予告演出を実行する場合には、各列に第１変化図柄を必ず変動表示させるように構成しても良い。これにより、第２変化図柄でない第１変化図柄が各列に変動表示された場合であっても、遊技者に特殊リーチ演出が実行されることを期待させることができる。すなわち、各列に変動表示される飾り図柄が第２変化図柄でないからといって、遊技者を残念な気持ちにさせることを防ぐことができる。
【０１５７】
・上記第４実施形態において、確変状態の付与期間を変更しても良い。例えば、確変状態が付与されてから所定回数（２０回や５０回）の図柄変動ゲームが実行されるまでを確変状態の付与期間として定めても良い。
【０１５８】
・上記第４実施形態において、確変大当り遊技として、確変状態の付与期間が異なる複数の確変大当り遊技を備えても良い。また、大当り遊技の種類毎に、リーチの図柄組み合わせを構成する数字図柄の選択率を変更しても良い。例えば、次の大当り遊技が付与されるまで確変状態が付与される第１確変大当り遊技と、１００回の図柄変動ゲームが実行されるまで確変状態が付与される第２確変大当り遊技と、１５回の図柄変動ゲームが実行されるまで確変状態が付与される第３確変大当り遊技を備えても良い。このとき、遊技者にとって最も有利な第１確変大当り遊技が付与される場合には、第２確変大当り遊技及び第３確変大当り遊技が付与される場合と比較して、数字図柄［７］により構成されるリーチの図柄組み合わせが一旦停止表示されやすいように構成しても良い。
【０１５９】
・上記第４実施形態において、確変大当り遊技中の大入賞口１８の開放態様と、非確変大当り遊技中の大入賞口１８の開放態様を異ならせても良い。但し、確変大当り遊技中の大入賞口１８の開放態様の方が、非確変大当り遊技中の大入賞口１８の開放態様よりも、遊技者にとって有利な開放態様であることが望ましい。因みに、遊技者にとって有利な開放態様とは、例えば、大当り遊技中の大入賞口１８の開放時間が長いことや、１回の開放時間は一定であって大入賞口１８の開放回数が多いことなどを指す。
【０１６０】
・上記実施形態において、演出制御用ＣＰＵ３１ａは特別図柄指定コマンドが指定する特別図柄の種類から大当り抽選の結果や大当り遊技の種類を特定可能に構成したが、大当り抽選の抽選結果や大当り遊技の種類を直接的に指定するコマンドを演出制御用ＣＰＵ３１ａに出力するようにしても良い。
【０１６１】
次に、上記実施形態及び別例（変形例）から把握できる技術的思想について以下に追記する。
（イ）前記演出制御手段は、前記大当り判定手段又は前記リーチ判定手段の判定結果が肯定の場合、リーチ演出実行前、予め決められた複数種類の演出図柄に対応する変化図柄を演出図柄の代わりに変動表示させ、前記図柄決定手段が決定したリーチ図柄に対応する変化図柄を一旦停止表示させた後、リーチ演出の開始とともに、一旦停止表示させた変化図柄を前記図柄決定手段が決定したリーチ図柄に変更表示させ、リーチ演出を実行させる。
【０１６２】
（ロ）前記演出制御手段は、大当り判定手段の判定結果が肯定の場合、決定可能な変化図柄の種類が少ない演出段階ほど設定しやすく構成されている一方、大当り判定手段の判定結果が否定の場合、決定可能な変化図柄の種類が多い演出段階ほど設定しやすく構成されている。
【符号の説明】
【０１６３】
１１…演出表示装置、１８…大入賞口、３０…主制御基板、３０ａ…主制御用ＣＰＵ、３１…演出制御基板、３１ａ…演出制御用ＣＰＵ、３１ｂ…演出制御用ＲＯＭ、３１ｃ…演出制御用ＲＡＭ。
【図１】
0005530957.tif 000002
【図２】
0005530957.tif 000003
【図３】
0005530957.tif 000004
【図４】
0005530957.tif 000005
【図５】
0005530957.tif 000006
【図６】
0005530957.tif 000007
【図７】
0005530957.tif 000008
【図８】
0005530957.tif 000009
【図９】
0005530957.tif 000010
【図１０】
0005530957.tif 000011
【図１１】
0005530957.tif 000012
【図１２】
0005530957.tif 000013
【図１３】
0005530957.tif 000014
【図１４】
0005530957.tif 000015
【図１５】
0005530957.tif 000016
【図１６】
0005530957.tif 000017
【図１７】
0005530957.tif 000018